(57)【特許請求の範囲】
【請求項１】
下記を備える、協働中継動作を容易にするための方法：
関連するユーザ機器ユニット（ＵＥ）のセットと、前記関連するＵＥのセットにおけるそれぞれのＵＥに対応する制御復号候補のそれぞれのセットとを識別すること；および、
前記関連するＵＥのセットに対応する制御復号候補の縮減されたサブセットを中継ノードにおいて生成すること、ここにおいて、前記生成することは、
所与の時間間隔においてスケジュール不可能である、前記関連するＵＥのセットにおける少なくとも１つのＵＥに関連付けられた制御復号候補のセットを、前記制御復号候補の縮減されたサブセットから除外すること；および、
前記関連するＵＥのセットにおける少なくとも１つのＵＥのための制御復号候補のそれぞれのセットからの少なくとも１つの制御復号候補を前記制御復号候補の縮減されたサブセットから除外することを含む。
【請求項２】
前記制御復号候補の縮減されたサブセットに少なくとも部分的に基づいて、前記関連するＵＥのセットから、少なくとも１つの新たにスケジュールされたＵＥを決定することを更に備える、請求項１に記載の方法。
【請求項３】
前記生成することは、下記を備える、請求項１に記載の方法：
前記関連するＵＥのセットにおけるそれぞれのＵＥに対応するタイミング指定に関する情報を取得すること；および、
少なくとも部分的に、前記タイミング指定に基づいて決定されたような所与の時間間隔においてスケジュール不可能である、前記関連するＵＥのセットにおける少なくとも１つのＵＥに関連付けられた制御復号候補のセットを、前記制御復号候補の縮減されたサブセットから除外することによって、前記制御復号候補の縮減されたサブセットを生成すること。
【請求項４】
前記タイミング指定は、前記関連するＵＥのセットにおけるそれぞれのＵＥのために指定されたサブフレームに対応する、請求項３に記載の方法。
【請求項５】
前記タイミング指定は、前記関連するＵＥのセットにおけるそれぞれのＵＥのために指定されたハイブリッド自動反復要求（ＨＡＲＱ）処理識別子（ＩＤ）に対応する、請求項３に記載の方法。
【請求項６】
前記生成することは更に、少なくとも部分的に、前記関連するＵＥのセットにおけるそれぞれのＵＥに対応するＨＡＲＱ処理ＩＤと、所与の時間間隔に対応するＨＡＲＱ処理ＩＤとを比較することによって、前記所与の時間間隔においてスケジュール不可能である、前記関連するＵＥのセットにおける少なくとも１つのＵＥを識別することを備える、請求項５に記載の方法。
【請求項７】
前記情報を取得することは、前記関連するＵＥのセットにおけるそれぞれのＵＥに関連付けられたドナー次世代ノードＢ（ＤｅＮＢ）から、前記関連するＵＥのセットにおけるそれぞれのＵＥに対応するタイミング指定に関するシグナリングを受信することを備える、請求項３に記載の方法。
【請求項８】
前記生成することは、下記を備える、請求項１に記載の方法：
前記関連するＵＥのセットにおけるそれぞれのＵＥに関連付けられたそれぞれのＵＥ専用探索空間と共有探索空間とを識別すること；および、
少なくとも部分的に、前記関連するＵＥのセットにおける少なくとも１つのＵＥのための制御復号候補のそれぞれのセットを、前記関連するＵＥのセットにおける少なくとも１つのＵＥのためのそれぞれのＵＥ専用探索空間に関連付けられた制御復号候補又は前記共有探索空間に関連付けられた制御復号候補に制限することによって、前記制御復号候補の縮減されたサブセットを生成すること。
【請求項９】
前記生成することは、更に下記を備える、請求項８に記載の方法：
前記関連するＵＥのセットに関連付けられたシステム・ローディングのレベルを識別すること；および、
前記関連するＵＥのセットに関連付けられたシステム・ローディングの識別されたレベルに応答して、前記共有探索空間に関連付けられた制御復号候補を前記制御復号候補の縮減されたサブセットから選択的に除外する又は含めること。
【請求項１０】
前記生成することは、下記を備える、請求項１に記載の方法：
前記制御復号候補のそれぞれのセットに関連付けられた１つ又は複数の集約レベルを識別すること；および、
少なくとも部分的に、前記関連するＵＥのセットにおける少なくとも１つのＵＥのための制御復号候補のそれぞれのセットを、１つ又は複数の選択された集約レベルに関連付けられた制御復号候補に制限することによって、前記制御復号候補の縮減されたサブセットを生成すること。
【請求項１１】
前記生成することは更に、前記関連するＵＥのセットにおけるそれぞれのＵＥと、前記関連するＵＥのセットにおけるそれぞれのＵＥのためのドナー次世代ノードＢ（ＤｅＮＢ）との間のチャネル品質に少なくとも部分的に基づいて、前記１つ又は複数の選択された集約レベルを識別することを備える、請求項１０に記載の方法。
【請求項１２】
前記生成することは、下記を備える、請求項１に記載の方法：
前記制御復号候補のそれぞれのセットに関連付けられた１つ又は複数の制御チャネル・サイズを識別すること；および、
少なくとも部分的に、前記関連するＵＥのセットにおける少なくとも１つのＵＥのための制御復号候補のそれぞれのセットを、１つ又は複数の選択された制御チャネル・サイズに関連付けられた制御復号候補に制限することによって、前記制御復号候補の縮減されたサブセットを生成すること。
【請求項１３】
前記生成することは、下記を備える、請求項１に記載の方法：
前記関連するＵＥのセットに関連付けられたシステム・ローディングのレベルを識別すること；および、
前記関連するＵＥのセットに関連付けられたシステム・ローディングの識別されたレベルに応答して、前記制御復号候補の縮減されたサブセットから制御復号候補を除外する範囲を決定すること。
【請求項１４】
前記制御復号候補は、それぞれの物理ダウンリンク制御チャネル（ＰＤＣＣＨ）ブラインド復号に対応する、請求項１に記載の方法。
【請求項１５】
それぞれのＰＤＣＣＨブラインド復号は、１６ビットよりも大きい巡回冗長検査（ＣＲＣ）フィールドに関連付けられている、請求項１４に記載の方法。
【請求項１６】
前記識別することは、物理ダウンリンク制御チャネル（ＰＤＣＣＨ）許可のための候補リソースに対応するそれぞれの制御復号候補を識別することを備え、前記ＰＤＣＣＨ許可のための候補リソースに対応するそれぞれの制御復号候補は、ダウンリンクＰＤＣＣＨ許可及びアップリンクＰＤＣＣＨ許可を含むＰＤＣＣＨ許可が時分割多重化を介して異なるサブフレームにおいて提供されるように構成される、請求項１に記載の方法。
【請求項１７】
下記を備える無線通信装置：
関連ユーザ機器ユニット（ＵＥ）のセットと、前記関連するＵＥのセットにおけるそれぞれのＵＥに対応する制御復号候補のそれぞれのセットとに関するデータを格納するメモリ；および、
中継ノードにおいて、前記関連するＵＥのセットに対応する制御復号候補の縮減されたサブセットを生成するように構成されたプロセッサ、ここにおいて、前記プロセッサは、
所与の時間間隔においてスケジュール不可能である、前記関連するＵＥのセットにおける少なくとも１つのＵＥに関連付けられた制御復号候補のセットを制御復号候補の縮減されたサブセットから除外すること、および
前記関連するＵＥのセットにおける少なくとも１つのＵＥのための制御復号候補のそれぞれのセットからの少なくとも１つの制御復号候補を前記制御復号候補の縮減されたサブセットから除外することを実行するように構成される。
【請求項１８】
前記メモリは更に、前記関連するＵＥのセットにおけるそれぞれのＵＥに対応するタイミング指定に関するデータを格納し、
前記プロセッサは更に、少なくとも部分的に、前記タイミング指定に基づいて決定されたような所与の時間間隔においてスケジュール不可能である、前記関連するＵＥのセットにおける少なくとも１つのＵＥに関連付けられた制御復号候補のセットを前記制御復号候補の縮減されたサブセットから除外することによって、前記制御復号候補の縮減されたサブセットを生成するように構成される、請求項１７に記載の無線通信装置。
【請求項１９】
前記タイミング指定は、前記関連するＵＥのセットにおけるそれぞれのＵＥのために指定されたサブフレームに対応する、請求項１８に記載の無線通信装置。
【請求項２０】
前記タイミング指定は、前記関連するＵＥのセットにおけるそれぞれのＵＥのために指定されたハイブリッド自動反復要求（ＨＡＲＱ）処理識別子（ＩＤ）に対応する、請求項１８に記載の無線通信装置。
【請求項２１】
前記プロセッサは更に、少なくとも部分的に、前記関連するＵＥのセットにおけるそれぞれのＵＥに対応するＨＡＲＱ処理ＩＤと、所与の時間間隔に対応するＨＡＲＱ処理ＩＤとを比較することによって、前記所与の時間間隔においてスケジュール不可能である、前記関連するＵＥのセットにおける少なくとも１つのＵＥを識別するように構成される、請求項２０に記載の無線通信装置。
【請求項２２】
前記メモリは更に、前記関連するＵＥのセットにおけるそれぞれのＵＥに関連付けられたそれぞれのＵＥ専用探索空間と、共有探索空間とに関するデータを格納し、
前記プロセッサは更に、少なくとも部分的に、前記関連するＵＥのセットにおける少なくとも１つのＵＥのための制御復号候補のそれぞれのセットを、前記関連するＵＥのセットにおける少なくとも１つのＵＥのためのそれぞれのＵＥ専用探索空間に関連付けられた制御復号候補又は前記共有探索空間に関連付けられた制御復号候補に制限することによって、前記制御復号候補の縮減されたサブセットを生成するように構成される、請求項１７に記載の無線通信装置。
【請求項２３】
前記メモリは更に、前記関連するＵＥのセットに関連付けられたシステム・ローディングのレベルに関するデータを格納し、
前記プロセッサは更に、前記関連するＵＥのセットに関連付けられたシステム・ローディングの識別されたレベルに応答して、前記共有探索空間に関連付けられた制御復号候補を前記制御復号候補の縮減されたサブセットから選択的に除外する又は含めるように構成される、請求項２２に記載の無線通信装置。
【請求項２４】
前記メモリは更に、前記制御復号候補のそれぞれのセットに関連付けられた１つ又は複数の集約レベルに関するデータを格納し、
前記プロセッサは更に、少なくとも部分的に、前記関連するＵＥのセットにおける少なくとも１つのＵＥのための制御復号候補のそれぞれのセットを、１つ又は複数の選択された集約レベルに関連付けられた制御復号候補に制限することによって、前記制御復号候補の縮減されたサブセットを生成するように構成される、請求項１７に記載の無線通信装置。
【請求項２５】
前記メモリは更に、前記制御復号候補のそれぞれのセットに関連付けられた１つ又は複数の制御チャネル・サイズに関するデータを格納し、
前記プロセッサは更に、少なくとも部分的に、前記関連するＵＥのセットにおける少なくとも１つのＵＥのための制御復号候補のそれぞれのセットを、１つ又は複数の選択された制御チャネル・サイズに関連付けられた制御復号候補に制限することによって、前記制御復号候補の縮減されたサブセットを生成するように構成される、請求項１７に記載の無線通信装置。
【請求項２６】
前記メモリは更に、前記関連するＵＥのセットに関連付けられたシステム・ローディングのレベルに関するデータを格納し、
前記プロセッサは更に、前記関連するＵＥのセットに関連付けられたシステム・ローディングの識別されたレベルに応答して、前記制御復号候補の縮減されたサブセットから制御復号候補を除外する範囲を決定するように構成される、請求項１７に記載の無線通信装置。
【請求項２７】
前記制御復号候補は、１６ビットよりも大きい巡回冗長検査（ＣＲＣ）フィールドに関連付けられたそれぞれの物理ダウンリンク制御チャネル（ＰＤＣＣＨ）ブラインド復号に対応する、請求項１７に記載の無線通信装置。
【請求項２８】
前記プロセッサは更に、物理ダウンリンク制御チャネル（ＰＤＣＣＨ）許可のための候補リソースに対応するそれぞれの制御復号候補を識別するように構成され、前記ＰＤＣＣＨ許可のための候補リソースに対応するそれぞれの制御復号候補は、ダウンリンクＰＤＣＣＨ許可及びアップリンクＰＤＣＣＨ許可を含むＰＤＣＣＨ許可が時分割多重化を介して異なるサブフレームにおいて提供されるように構成される、請求項１７に記載の無線通信装置。
【請求項２９】
下記を備える装置：
支援される可能性のあるグループにおけるそれぞれのユーザ機器ユニット（ＵＥ）に関連付けられた制御復号候補のセットを識別するための手段；および、
中継ノードにおいて、制御復号候補の縮減されたサブセットを生成するための手段、ここにおいて、前記生成する手段は、
制御復号候補の少なくとも１つのセットから１つ又は複数の制御復号候補を排除すること、および
前記支援される可能性のあるグループにおける少なくとも１つのＵＥに対応する制御復号候補のセットを排除することを含む。
【請求項３０】
前記生成するための手段は、下記を備える、請求項２９に記載の装置：
前記支援される可能性のあるグループにおけるそれぞれのＵＥに対応するタイミング指定に関する情報を取得するための手段；および、
少なくとも部分的に、前記タイミング指定に基づいて決定されたような所与の時間間隔においてスケジュール不可能である、前記支援される可能性のあるグループにおける少なくとも１つのＵＥに関連付けられた制御復号候補のセットを前記制御復号候補の縮減されたサブセットから除外することによって、前記制御復号候補の縮減されたサブセットを生成するための手段。
【請求項３１】
前記タイミング指定は、前記支援される可能性のあるグループにおけるそれぞれのＵＥのために指定されたサブフレームに対応する、請求項３０に記載の装置。
【請求項３２】
前記タイミング指定は、前記支援される可能性のあるグループにおけるそれぞれのＵＥのために指定されたハイブリッド自動反復要求（ＨＡＲＱ）処理識別子（ＩＤ）に対応する、請求項３０に記載の装置。
【請求項３３】
前記生成するための手段は更に、少なくとも部分的に、前記支援される可能性のあるグループにおけるそれぞれのＵＥに対応するＨＡＲＱ処理ＩＤと、所与の時間間隔に対応するＨＡＲＱ処理ＩＤとを比較することによって、前記所与の時間間隔においてスケジュール不可能である、前記支援される可能性のあるグループにおける少なくとも１つのＵＥを識別するための手段を備える、請求項３２に記載の装置。
【請求項３４】
前記生成するための手段は、下記を備える、請求項２９に記載の装置：
前記支援される可能性のあるグループにおけるそれぞれのＵＥに関連付けられたそれぞれのＵＥ専用探索空間と、共有探索空間とを識別するための手段；および、
少なくとも部分的に、前記支援される可能性のあるグループにおける少なくとも１つのＵＥのための制御復号候補のそれぞれのセットを、前記支援される可能性のあるグループにおける少なくとも１つのＵＥのためのそれぞれのＵＥ専用探索空間に関連付けられた制御復号候補又は共有探索空間に関連付けられた制御復号候補に制限することによって、前記制御復号候補の縮減されたサブセットを生成するための手段。
【請求項３５】
前記生成するための手段は、下記を更に備える、請求項３４に記載の装置：
前記支援される可能性のあるグループに関連付けられたシステム・ローディングのレベルを識別するための手段；および、
前記支援される可能性のあるグループに関連付けられたシステム・ローディングの識別されたレベルに応答して、前記共有探索空間に関連付けられた制御復号候補を前記制御復号候補の縮減されたサブセットから選択的に除外する又は含めるための手段。
【請求項３６】
前記生成するための手段は、下記を備える、請求項２９に記載の装置：
前記制御復号候補のそれぞれのセットに関連付けられた１つ又は複数の集約レベルを識別するための手段；および、
少なくとも部分的に、前記支援される可能性のあるグループにおける少なくとも１つのＵＥのための制御復号候補のそれぞれのセットを、１つ又は複数の選択された集約レベルに関連付けられた制御復号候補に制限することによって、前記制御復号候補の縮減されたサブセットを生成するための手段。
【請求項３７】
前記生成するための手段は、下記を備える、請求項２９に記載の装置：
前記制御復号候補のそれぞれのセットに関連付けられた１つ又は複数の制御チャネル・サイズを識別するための手段と、
少なくとも部分的に、前記支援される可能性のあるグループにおける少なくとも１つのＵＥのための制御復号候補のそれぞれのセットを、１つ又は複数の選択された制御チャネル・サイズに関連付けられた制御復号候補に制限することによって、前記制御復号候補の縮減されたサブセットを生成するための手段。
【請求項３８】
前記生成するための手段は、下記を備える、請求項２９に記載の装置：
前記支援される可能性のあるグループに関連付けられたシステム・ローディングのレベルを識別するための手段；および、
前記支援される可能性のあるグループに関連付けられたシステム・ローディングの識別されたレベルに応答して、前記制御復号候補の縮減されたサブセットから制御復号候補を除外する範囲を決定するための手段。
【請求項３９】
前記制御復号候補は、１６ビットよりも大きい巡回冗長検査（ＣＲＣ）フィールドに関連付けられたそれぞれの物理ダウンリンク制御チャネル（ＰＤＣＣＨ）ブラインド復号に対応する、請求項２９に記載の装置。
【請求項４０】
下記のコードを備えるコンピュータ読取可能な記憶媒体：
支援される可能性のあるグループにおけるそれぞれのユーザ機器ユニット（ＵＥ）に関連付けられた制御復号候補のセットをコンピュータに識別させるためのコード；および、
制御復号候補の少なくとも１つのセットから１つ又は複数の制御復号候補を排除すること、および前記支援される可能性のあるグループにおける少なくとも１つのＵＥに対応する制御復号候補のセットを排除することによって、制御復号候補の縮減されたサブセットを中継ノードにおいてコンピュータに生成させるためのコード。
【請求項４１】
前記コンピュータに生成させるためのコードは、下記を備える、請求項４０に記載のコンピュータ読取可能な記憶媒体：
前記支援される可能性のあるグループにおけるそれぞれのＵＥに対応するタイミング指定に関する情報をコンピュータに取得させるためのコード；および、
少なくとも部分的に、前記タイミング指定に基づいて決定されたような所与の時間間隔においてスケジュール不可能である、前記支援される可能性のあるグループにおける少なくとも１つのＵＥに関連付けられた制御復号候補のセットを前記制御復号候補の縮減されたサブセットから除外することによって、前記制御復号候補の縮減されたサブセットをコンピュータに生成させるためのコード。
【請求項４２】
前記タイミング指定は、前記支援される可能性のあるグループにおけるそれぞれのＵＥのために指定されたサブフレームに対応する、請求項４１に記載のコンピュータ読取可能な記憶媒体。
【請求項４３】
前記タイミング指定は、前記支援される可能性のあるグループにおけるそれぞれのＵＥのために指定されたハイブリッド自動反復要求（ＨＡＲＱ）処理識別子（ＩＤ）に対応する、請求項４１に記載のコンピュータ読取可能な記憶媒体。
【請求項４４】
前記コンピュータに生成させるためのコードは更に、少なくとも部分的に、前記支援される可能性のあるグループにおけるそれぞれのＵＥに対応するＨＡＲＱ処理ＩＤと、所与の時間間隔に対応するＨＡＲＱ処理ＩＤとを比較することによって、前記所与の時間間隔においてスケジュール不可能である、前記支援される可能性のあるグループにおける少なくとも１つのＵＥをコンピュータに識別させるためのコードを備える、請求項４３に記載のコンピュータ読取可能な記憶媒体。
【請求項４５】
前記コンピュータに生成させるためのコードは、下記を備える、請求項４０に記載のコンピュータ読取可能な記憶媒体：
前記支援される可能性のあるグループにおけるそれぞれのＵＥに関連付けられたそれぞれのＵＥ専用探索空間と、共有探索空間とをコンピュータに識別させるためのコード；および、
少なくとも部分的に、前記支援される可能性のあるグループにおける少なくとも１つのＵＥのための制御復号候補のそれぞれのセットを、前記支援される可能性のあるグループにおける少なくとも１つのＵＥのためのＵＥ専用探索空間に関連付けられた制御復号候補又は前記共有探索空間に関連付けられた制御復号候補に制限することによって、前記制御復号候補の縮減されたサブセットをコンピュータに生成させるためのコード。
【請求項４６】
前記コンピュータに生成させるためのコードは更に、下記を備える、請求項４５に記載のコンピュータ読取可能な記憶媒体：
前記支援される可能性のあるグループに関連付けられたシステム・ローディングのレベルをコンピュータに識別させるためのコード；および、
前記支援される可能性のあるグループに関連付けられたシステム・ローディングの識別されたレベルに応答して、前記共有探索空間に関連付けられた制御復号候補を前記制御復号候補の縮減されたサブセットからコンピュータに選択的に除外させる又は含めさせるためのコード。
【請求項４７】
前記コンピュータに生成させるためのコードは、下記を備える、請求項４０に記載のコンピュータ読取可能な記憶媒体：
コンピュータに、前記制御復号候補のそれぞれのセットに関連付けられた１つ又は複数の集約レベルを識別させるためのコード；および、
少なくとも部分的に、前記支援される可能性のあるグループにおける少なくとも１つのＵＥのための制御復号候補のそれぞれのセットを、１つ又は複数の選択された集約レベルに関連付けられた制御復号候補に制限することによって、前記制御復号候補の縮減されたサブセットをコンピュータに生成させるためのコード。
【請求項４８】
前記コンピュータに生成させるためのコードは、下記を備える、請求項４０に記載のコンピュータ読取可能な記憶媒体：
前記制御復号候補のそれぞれのセットに関連付けられた１つ又は複数の制御チャネル・サイズをコンピュータに識別させるためのコード；および、
少なくとも部分的に、前記支援される可能性のあるグループにおける少なくとも１つのＵＥのための制御復号候補のそれぞれのセットを、１つ又は複数の選択された制御チャネル・サイズに関連付けられた制御復号候補に制限することによって、前記制御復号候補の縮減されたサブセットをコンピュータに生成させるためのコード。
【請求項４９】
前記コンピュータに生成させるためのコードは、下記を備える、請求項４０に記載のコンピュータ読取可能な記憶媒体：
前記支援される可能性のあるグループに関連付けられたシステム・ローディングのレベルをコンピュータに識別させるためのコード；および、
前記支援される可能性のあるグループに関連付けられたシステム・ローディングの識別されたレベルに応答して、前記制御復号候補の縮減されたサブセットから制御復号候補を除外する範囲をコンピュータに決定させるためのコード。
【請求項５０】
前記制御復号候補は、１６ビットよりも大きい巡回冗長検査（ＣＲＣ）フィールドに関連付けられたそれぞれの物理ダウンリンク制御チャネル（ＰＤＣＣＨ）ブラインド復号に対応する、請求項４０に記載のコンピュータ読取可能な記憶媒体。
【発明の詳細な説明】
【技術分野】
【０００１】
本開示は、一般に無線通信に関し、特に、無線通信環境における協働中継動作を管理するための技術に関する。
【０００２】
本願は、参照によって全体が本願に組み込まれた２００９年３月２５日出願の“A method and apparatus for efficient PDCCH Decoding for Transparent Relaying Operation in a wireless communication system”と題された米国特許仮出願番号第６１／１６３４２４号の利益を主張する。
【背景技術】
【０００３】
無線通信システムは、例えば音声、ビデオ、パケット・データ、ブロードキャスト、及びメッセージング・サービスのような様々な通信サービスを提供するために幅広く開発され、そのような無線通信システムを介してそれらが提供されうる。これらのシステムは、利用可能なシステム・リソースを共有することによって複数の端末のための通信をサポートすることができる多元接続システムであることができる。そのような多元接続システムの例は、符号分割多元接続（ＣＤＭＡ）システム、時分割多元接続（ＴＤＭＡ）システム、周波数分割多元接続（ＦＤＭＡ）システム、及び直交周波数多元接続（ＯＦＤＭＡ）システムを含む。
【０００４】
一般に、無線多元接続通信システムは、複数の無線端末のための通信を同時にサポートすることができる。そのようなシステムにおいて、各端末は、順方向リンク及び逆方向リンクにおける送信を介して１つ又は複数の基地局と通信することができる。順方向リンク（すなわち、ダウンリンク）は基地局から端末への通信リンクを称し、逆方向リンク（すなわち、アップリンク）は、端末から基地局への通信リンクを称する。この通信リンクは、単一入力単一出力（ＳＩＳＯ）システム、複数入力単一出力（ＭＩＳＯ）システム、又は複数入力複数出力（ＭＩＭＯ）システムを介して確立することができる。
【０００５】
様々な無線通信システムにおいて、中継ノード及び／又は他の適切なネットワーク・ノードは、次世代ノードＢ（ｅＮＢ）と、ｅＮＢによってサービス提供されるそれぞれのユーザ機器ユニット（ＵＥ）との間の通信を向上させるために用いられうる。例えば、ハイブリッド自動反復要求（ＨＡＲＱ）送信及び／又は別の適切な反復送信スキームの場合、中継ノードは、ｅＮＢとＵＥとの間の通信を検出し、必要に応じてＵＥへの再送信において支援することができる。
【０００６】
中継ノードが上記方法で支援を提供するために、中継ノードは、中継ノードが支援する可能性のあるｅＮＢに関連付けられたＵＥの指定されたセットと関連ｅＮＢとの間で交換される制御情報をモニタ及び復号するように構成されることができる。従来、中継ノードによって支援される可能性のあるそれぞれのＵＥは、所与のＵＥ又はＵＥのセットのために用いる及び／又はモニタする制御リソースを決定するために中継ノードによって処理される制御復号探索空間に関連付けられる。しかし、中継ノードによって支援される可能性のあるＵＥのセットに関連付けられた探索空間全体が増加すると、関連中継ノードは、必要とされる複雑性の増加、及び／又は（例えば、誤った復号の可能性の増加による）性能全体における低下を経験する可能性がある。従って、低い複雑性及び／又はより良い性能をもたらす無線通信システムにおける協働中継動作のための制御復号のための技術を実現することが望ましい。
【発明の概要】
【０００７】
以下は、様々な態様の基本的な理解を提供するために、特許請求された主題事項の様々な態様の簡略化した概要を提示する。この概要は、考慮される全ての態様の広範囲な概観ではなく、重要な要素あるいは必要不可欠な要素を識別することやそのような態様の範囲を詳細に表すことは意図されていない。本概要のただ１つの目的は、後に提示されるより詳細な説明の前置きとして、簡略化した形式で、開示される態様のいくつかの概念を提示することである。
【０００８】
態様によると、本明細書において方法が説明される。この方法は、関連ユーザ機器ユニット（ＵＥ）のセットと、関連ＵＥのセットにおけるそれぞれのＵＥに対応する制御復号候補のそれぞれのセットとを識別することと、少なくとも部分的に、所与の時間間隔においてスケジュール不可能である、関連ＵＥのセットにおける少なくとも１つのＵＥに関連付けられた制御復号候補のセットを制御復号候補の縮減されたサブセットから除外すること、又は関連ＵＥのセットにおける少なくとも１つのＵＥのための制御復号候補のそれぞれのセットからの少なくとも１つの制御復号候補を制御復号候補の縮減されたサブセットから除外することを実行することによって、関連ＵＥのセットに対応する制御復号候補の縮減されたサブセットを生成することとを備えることができる。
【０００９】
本明細書で説明される第２の態様は、無線通信装置に関する。この無線通信装置は、関連ＵＥのセットと、関連ＵＥのセットにおけるそれぞれのＵＥに対応する制御復号候補のそれぞれのセットとに関するデータを格納することができる。この無線通信装置は更に、少なくとも部分的に、所与の時間間隔においてスケジュール不可能である、関連ＵＥのセットにおける少なくとも１つのＵＥに関連付けられた制御復号候補のセットを制御復号候補の縮減されたサブセットから除外すること、又は関連ＵＥのセットにおける少なくとも１つのＵＥのための制御復号候補のそれぞれのセットからの少なくとも１つの制御復号候補を制御復号候補の縮減されたサブセットから除外することを実行することによって、関連ＵＥのセットに対応する制御復号候補の縮減されたサブセットを生成するように構成されたプロセッサを備えることができる。
【００１０】
第３の態様は装置に関し、この装置は、支援される可能性のあるグループにおけるそれぞれのＵＥに関連付けられた制御復号候補のセットを識別するための手段と、少なくとも部分的に、制御復号候補の少なくとも１つのセットから１つ又は複数の制御復号候補を排除すること、又は支援される可能性のあるグループにおける少なくとも１つのＵＥに対応する制御復号候補のセットを排除することによって、制御復号候補の縮減されたサブセットを生成するための手段とを備えることができる。
【００１１】
本明細書で説明される第４の態様は、コンピュータ・プログラム製品に関し、このコンピュータ・プログラム製品は、コンピュータに、支援される可能性のあるグループにおけるそれぞれのＵＥに関連付けられた制御復号候補のセットを識別させるためのコードと、コンピュータに、少なくとも部分的に、制御復号候補の少なくとも１つのセットから１つ又は複数の制御復号候補を排除すること、又は支援される可能性のあるグループにおける少なくとも１つのＵＥに対応する制御復号候補のセットを排除することによって、制御復号候補の縮減されたサブセットを生成させるためのコードとを備えるコンピュータ読取可能媒体を含むことができる。
【００１２】
上記及び上記に関連する目的を達成するために、特許請求された主題事項の１つ又は複数の態様は、下記において十分に説明され特許請求の範囲において特に指摘される特徴を備える。以下の説明及び添付図面は、特許請求された主題事項のある例示的な態様を詳しく説明する。しかしこれらの態様は、特許請求された主題事項の原理を用いることができる様々な方法のうちのほんの一部しか示さない。更に、開示される態様は、そのような態様及びそれらの均等物の全てを含むことが意図されている。
【図面の簡単な説明】
【００１３】
【図１】図１は、様々な態様に従う無線通信環境における協働中継動作を容易にするシステムのブロック図である。
【図２】図２は、様々な態様に従う無線通信システムのための中継動作に関連する効率的な制御復号のためのシステムのブロック図である。
【図３】図３は、様々な態様に従う無線通信システムのための中継動作に関連する制御探索空間処理のためのシステムのブロック図である。
【図４】図４は、様々な態様に従う無線通信システムのための中継動作に関連するユーザ・スケジューリング分析のブロック図である。
【図５】図５は、様々な態様に従う中継ノードの例の動作を示すフロー図である。
【図６】図６は、様々な態様に従うシステム・ローディング及び／又はチャネル品質に基づく制御復号候補セット処理のためのシステムのブロック図である。
【図７】図７は、無線通信システムにおける透過的中継動作を容易にするための効率的な制御復号のための方法を示すフロー図である。
【図８】図８は、無線通信システムにおける透過的中継動作を容易にするための効率的な制御復号のための方法を示すフロー図である。
【図９】図９は、無線通信システムにおける透過的中継動作を容易にするための効率的な制御復号のための方法を示すフロー図である。
【図１０】図１０は、中継支援型無線通信システムにおける制御復号探索空間処理を容易にする装置のブロック図である。
【図１１】図１１は、本明細書で説明される様々な態様を実現するために用いることができる無線通信デバイスのブロック図である。
【図１２】図１２は、本明細書で説明される様々な態様を実現するために用いることができる無線通信デバイスのブロック図である。
【図１３】図１３は、本明細書で説明される様々な態様に従う無線多元接続通信システムを示す。
【図１４】図１４は、本明細書で説明される様々な態様が機能することができる無線通信システムの例を示すブロック図である。
【発明を実施するための形態】
【００１４】
同様の参照番号が全体を通して同様の要素を参照するために用いられる図面を参照して、特許請求された主題事項の様々な態様が以下で説明される。下記において、説明の目的のために、数々の具体的な詳細が、１つ又は複数の態様の完全な理解を提供するために説明される。しかし、そのような態様は、それらの具体的な詳細がなくとも実施されうることが明らかである。他の例において、１つ又は複数の態様の説明を容易にするために、周知の構成及びデバイスがブロック図形式で示される。
【００１５】
本願において用いられる場合、「構成要素」、「モジュール」、「システム」等の用語は、ハードウェア、ファームウェア、ハードウェアとソフトウェアとの組み合わせ、又は実行中のソフトウェアの何れかであるコンピュータ関連エンティティを称するように意図されている。例えば構成要素は、限定はされないが、プロセッサ上で実行中の処理、集積回路、オブジェクト、実行ファイル、実行スレッド、プログラム、及び／又はコンピュータであることができる。一例によると、コンピュータ・デバイスで実行中のアプリケーションとコンピュータ・デバイスとの両方が構成要素であることができる。１つ又は複数の構成要素が、実行スレッド及び／又は処理内に存在することができ、構成要素は、１つのコンピュータに集中する及び／又は２つ以上のコンピュータに散在することができる。更に、これらの構成要素は、そこに格納された様々なデータ構成を有する様々なコンピュータ読取可能媒体から実行することができる。構成要素は、１つ又は複数のデータ・パケット（例えばローカル・システム、分散型システムにおいて、別の構成要素とインタラクトしている、及び／又は、例えばインターネットのようなネットワークを介して信号の方法によって他のシステムとインタラクトしている１つの構成要素からのデータ）を有する信号に従うように、ローカル処理及び／又は遠隔処理の方法によって通信することができる。
【００１６】
更に、本明細書において様々な態様は、無線端末及び／又は基地局に関連して説明される。無線端末は、ユーザに音声及び／又はデータ接続を提供するデバイスを称することができる。無線端末は、例えばラップトップ・コンピュータ又はデスクトップ・コンピュータのようなコンピュータ・デバイスに接続することができる。あるいは無線端末は、例えばパーソナル・デジタル・アシスタント（ＰＤＡ）のような内蔵型デバイスであることができる。無線端末はまた、システム、加入者ユニット、加入者局、モバイル局、モバイル、遠隔局、アクセス・ポイント、遠隔端末、アクセス端末、ユーザ端末、ユーザ・エージェント、ユーザ・デバイス、又はユーザ機器（ＵＥ）とも称されうる。無線端末は、加入者局、無線デバイス、セルラ電話、ＰＣＳ電話、コードレス電話、セッション初期化プロトコル（ＳＩＰ）電話、無線ローカル・ループ（ＷＬＬ）局、パーソナル・デジタル・アシスタント（ＰＤＡ）、無線接続機能を有するハンドヘルド・デバイス、又は無線モデムに接続された他の処理デバイスであることができる。基地局（例えば、アクセス・ポイントあるいはノードＢ）は、１つ又は複数のセクタを通して、エア・インタフェースを介して無線端末と通信するアクセス・ネットワーク内のデバイスを称することができる。基地局は、受信したエア・インタフェース・フレームをＩＰパケットに変換することによって、無線端末と、インターネット・プロトコル（ＩＰ）ネットワークを含むことができるその他のアクセス・ネットワークとの間のルータとして動作することができる。基地局はまた、エア・インタフェースのための属性の管理を調整する。
【００１７】
更に、本明細書で説明される様々な機能は、ハードウェア、ソフトウェア、ファームウェア、又はそれらの任意の組み合わせによって実現することができる。ソフトウェアによる実現の場合、機能は、コンピュータ読取可能媒体上の１つ又は複数の命令あるいはコードとして送信又は格納されることができる。コンピュータ読取可能媒体は、１つの場所から別の場所へのコンピュータ・プログラムの転送を容易にする任意の媒体を含む通信媒体及びコンピュータ記憶媒体の両方を含む。記憶媒体は、コンピュータによってアクセスすることができる任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭ、又は他の光学ディスク記憶媒体、磁気ディスク記憶媒体あるいは他の磁気記憶デバイス、又は、命令あるいはデータ構成の形式で所望のプログラム・コードを搬送あるいは格納するために用いることができ、コンピュータによってアクセスすることができる他の任意の媒体を備えることができる。また、任意の接続も適宜コンピュータ読取可能媒体と称される。例えば、ソフトウェアが、ウェブサイト、サーバ、又は他の遠隔ソースから、同軸ケーブル、光ファイバ・ケーブル、ツイスト・ペア、デジタル加入者線（ＤＳＬ）、又は例えば赤外線、ラジオ、及びマイクロ波のような無線技術を用いて送信される場合、同軸ケーブル、光ファイバ・ケーブル、ツイスト・ペア、ＤＳＬ、又は例えば赤外線、ラジオ、及びマイクロ波のような無線技術は、媒体の定義に含まれる。ディスク（disk）及びディスク（disc）は、本明細書で用いられる場合、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、及びブルーレイ（登録商標）ディスク（disc）（ＢＤ）を含む。ディスク（disk）は一般にデータを磁気的に再生し、ディスク（disc）はレーザを用いてデータを光学的に再生する。上記の組み合わせもまた、コンピュータ読取可能媒体の範囲内に含まれるべきである。
【００１８】
本明細書で説明される様々な技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波ＦＤＭＡ（ＳＣ−ＦＤＭＡ）システム、及び他のそのようなシステムといった様々な無線通信システムのために用いることができる。「システム」及び「ネットワーク」という用語は、本明細書においてしばしば相互置換的に用いられる。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）及び他の様々なＣＤＭＡを含む。更に、ＣＤＭＡ２０００は、ＩＳ−２０００規格、ＩＳ−９５規格、及びＩＳ−８５６規格をカバーする。ＴＤＭＡシステムは、例えばグローバル・システム・フォー・モバイル・コミュニケーション（ＧＳＭ（登録商標））のようなラジオ技術を実現することができる。ＯＦＤＭＡシステムは、例えば次世代ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）等のようなラジオ技術を実現することができる。ＵＴＲＡ及びＥ−ＵＴＲＡは、ユニバーサル・モバイル・テレコミュニケーション・システム（ＵＭＴＳ）の一部である。近々リリースされる３ＧＰＰロング・ターム・エボリューション（ＬＴＥ）は、Ｅ−ＵＴＲＡを用い、ダウンリンクでＯＦＤＭＡを、アップリンクでＳＣ−ＦＤＭＡを用いる。ＵＴＲＡ、Ｅ−ＵＴＲＡ、ＵＭＴＳ、ＬＴＥ、及びＧＳＭ（登録商標）は、「第３世代パートナーシップ・プロジェクト」（３ＧＰＰ）と名づけられた組織からの文書において説明される。更に、ＣＤＭＡ２０００及びＵＭＢは、「第３世代パートナーシップ・プロジェクト２」（３ＧＰＰ２）と名づけられた組織からの文書において説明される。
【００１９】
様々な態様が、数々のデバイス、構成要素、モジュール等を含むシステムの観点から提示されるだろう。様々なシステムは、追加のデバイス、構成要素、モジュール等を含むことができる、及び／又は、図面に関連して説明されるデバイス、構成要素、モジュール等のうちのいくつか又は全てを省略することができることが理解されるべきである。また、これらのアプローチの組み合わせを用いることもできる。
【００２０】
図面を参照すると、図１は、本明細書で説明される様々な態様に従う無線通信環境における協働中継動作を容易にするシステム１００を示す。図１が示すように、システム１００は、（本明細書において、ノードＢ又はｅＮＢ、セル又はネットワーク・セル、基地局、アクセス・ポイント（ＡＰ）等とも称される）１つ又は複数のネットワーク・ノードを含むことができる。システム１００内のネットワーク・ノードは、例えば、本明細書においてドナーｅＮＢ（ＤｅＮＢ）１１０と称される、１つ又は複数のＵＥ１３０に通信サービスを提供するネットワーク・ノードを含むことができる。更に、システム１００内のネットワーク・ノードは、ＤｅＮＢ１１０と１つ又は複数のＵＥ１３０との間の通信を容易にするために支援することができる、１つ又は複数の中継ノード（ＲＮ）１２０を含むことができる。本明細書で用いられる場合、ＵＥは、アクセス端末（ＡＴ）、モバイル端末、ユーザ又はモバイル局等とも称されうる。
【００２１】
１つの態様によると、ＵＥ１３０は、ＤｅＮＢ１１０及び／又はＲＮ１２０との１つ又は複数のアップリンク（ＵＬ、本明細書において逆方向リンク（ＲＬ）とも称される）通信に従事することができ、同様にＤｅＮＢ１１０及び／又はＲＮ１２０は、ＵＥ１３０との１つ又は複数のダウンリンク（ＤＬ、本明細書において順方向リンク（ＦＬ）とも称される）通信に従事することができる。更に又はあるいは、ＤｅＮＢ１１０、ＲＮ１２０、及び／又はＵＥ１３０は、互いの、システム１００内の他のデバイス又はエンティティとの、及び／又は他の任意の適切なエンティティとの任意の適切な通信に従事することができる。例えば、バックホール・リンク及び／又は他の手段が、ＤｅＮＢ１１０とＲＮ１２０との間の通信を容易にするために（例えば、直接、あるいは中央ネットワーク・エンティティ（図示せず）を通して間接的に）それらの間で提供されうる。システム１００に示すように、ＤｅＮＢ１１０、ＲＮ１２０、及び／又はＵＥ１３０は、システム１００内での通信のためにそれぞれのトランシーバ１１４及び／又は他の任意の適切な手段を用いることができる。
【００２２】
１つの態様によると、ＲＮ１２０は、例えばＤｅＮＢ１１０等のような、システム１００内のｅＮＢの機能のうちのいくつか又は全てを含むことができる。あるいはＲＮ１２０は、ＤｅＮＢ１１０と関連ＵＥ１３０との間の通信における支援専用の専用ネットワーク・ノードであることができる。例えばＲＮ１２０は、（当該技術においてタイプ２中継等とも称される）第２層（Ｌ２）透過的中継を容易にすることができ、この場合ＲＮ１２０は、ＤｅＮＢ１１０からの情報を１つ又は複数のＵＥ１３０へ、それらのＵＥ１３０に対して透過方式で中継するように動作する。このように、１つの例においてＲＮ１２０は、ＲＮ１２０を識別するＵＥ１３０への物理信号を提供せずにＵＥ１３０と通信することができる。従ってＵＥ１３０は、ＲＮ１２０の存在を知ることを必要とせずにＤｅＮＢ１１０及びＲＮ１２０の両方からの信号を受信することができるので、結果として、受信された信号の発信源とは無関係に、ＵＥ１３０において受信された信号の品質が改善される。
【００２３】
上記は、完全に透過的なＲＮ１２０に関するが、ＲＮ１２０はＵＥ１３０に対して完全に又は部分的に非透過方式で動作することもできることが理解されうる。例えばＲＮ１２０は、ＵＥ１３０とＲＮ１２０との間のチャネルに対応するＵＥ１３０におけるチャネル品質報告を容易にするために、ＵＥ１３０に自身の存在を知らせることもできる。
【００２４】
１つの例において、ＲＮ１２０がＵＥ１３０に対して透過的である程度に関わらず、システム１００内の通信は、ＵＥ１３０に関連付けられた制御情報がＤｅＮＢ１１０によってＵＥ１３０へ提供されるように構成されうる。更に又はあるいは、システム１００は、ＵＥ１３０への通信のうちのいくつか又は全てがＤｅＮＢ１１０によって発信されるように構成されうる。その後ＲＮ１２０は、必要に応じて情報のそれぞれの再送信において支援することができる。
【００２５】
一例として、ＤｅＮＢ１１０は、１つ又は複数のＵＥ１３０のための初期スケジューリングを実行するスケジューリング・モジュール１１２を含むことができる。スケジューリング・モジュール１１２によって生成されたＵＥ１３０のためのスケジューリング情報及び／又は他の適切な制御情報は、（例えば、トランシーバ１１４を介して）ＵＥ１３０へ、及び／又は（例えば、ＤｅＮＢ１１０とＲＮ１２０との間のバックホール・リンクを介して）ＲＮ１２０へ提供されうる。ＤｅＮＢ１１０によってＲＮ１２０へ提供されたスケジューリング情報に基づいて、ＲＮ１２０は、ＵＥ識別モジュール１２２及び／又は他の適切な手段を用いて、ＲＮ１２０の支援を必要とする可能性のあるＵＥ１３０のグループを決定することができる。そのような決定をするためにＵＥ識別モジュール１２２によって用いることができる技術の様々な例が、本明細書において更に詳しく説明される。ＲＮ１２０はその後、ＵＥモニタリング・モジュール１２４及び／又は他のメカニズムを用いて、ＵＥ識別モジュール１２２によってＲＮ１２０の支援を必要とする可能性があると決定されたそれぞれのＵＥ１３０とＤｅＮＢ１１０との間の通信をモニタすることができる。例えば、ＵＥモニタリング・モジュール１２４は、ＤｅＮＢ１１０からＵＥ１３０へのＤＬ通信に応答して、それぞれのＵＥ１３０におけるそれぞれのＡＣＫ／ＮＡＫシグナリング・モジュールを介して１つ又は複数のＵＥ１３０によって提供されたアクノレッジメント（ＡＣＫ）シグナリング又はネガティブ・アクノレッジメント（ＮＡＫ）シグナリングを検出しようと試みることができる。ＵＥモニタリング・モジュール１２４が、ＮＡＫを検出した場合及び／又は所与のＵＥ１３０がＤｅＮＢ１１０からの情報の受信が困難であると決定した場合、ＲＮ１２０は、ＵＥ１３０への情報の再送信において支援することができる。
【００２６】
従って、１つの例においてＲＮ１２０は、ＵＥ１３０に対して透過的であることができ、受信機におけるコヒーレント結合のためのハイブリッド自動反復要求（ＨＡＲＱ）同期方式でＵＥ１３０へのＤＬ送信及び／又はＤｅＮＢ１１０へのＵＬ送信を支援することができる。例えばＲＮ１２０は、ＤｅＮＢ１１０とＵＥ１３０との間のシグナリング交換をモニタし、（例えば、サブフレーム、ＨＡＲＱ処理識別子（ＩＤ）等に対応する）所与の時間間隔でＨＡＲＱ送信を復号しようと試み、それに基づいて、ＲＮ１２０は、本明細書で一般に説明されるように貢献を介して後続の再送信を支援することができる。１つの例において、ＲＮ１２０におけるＨＡＲＱ再送信は、ＤｅＮＢ１１０からのＤＬ再送信又はＵＥ１３０からのＵＬ再送信と協働して及び／又はそれらの代わりに実行されるように構成されうる。別の例において、透過的ＲＮ１２０は、共通参照信号（ＣＲＳ）の送信を控え、代わりに、コヒーレント検出の目的のための専用参照信号（ＤＲＳ）に頼ることができる。
【００２７】
１つの態様によると、ＲＮ１２０によって支援される可能性のあるＵＥ１３０が、ＤｅＮＢ１１０によって事前に識別される。例えば、支援される可能性のあるＵＥ１３０のスケジューリングは、サブフレーム、冗長バージョン、再送信ディテール等に関して（例えば、ＤｅＮＢ１１０におけるスケジューリング・モジュール１１２を介して）ＤｅＮＢ１１０によって予め定められ、上記ＵＥ１３０への送信前にＲＮ１２０にブロードキャストされることができる。更にＤｅＮＢ１１０は、ＤｅＮＢ１１０とＵＥ１３０との間のシグナリング交換の前に、スケジューリング・モジュール１１２及び／又は他の適切な手段を介して、ＵＬ及び／又はＤＬのＨＡＲＱ再送信のためのプレスケジューリングに関する情報及び／又は他の任意の適切な情報をＲＮ１２０に提供することができる。
【００２８】
別の態様によると、ＲＮ１２０によって支援される可能性のあるＵＥ１３０のセットに基づいて、ＲＮ１２０の支援を必要とするＵＥ１３０を識別するためにＲＮ１２０におけるＵＥ識別モジュール１２２及び／又は他の適切な手段が用いられうる。１つの例において、これは、ＤｅＮＢ１１０によって新たにスケジュールされている支援される可能性のあるグループにおけるＵＥ１３０をまず識別することによって達成することができる。これは例えば、物理ダウンリンク制御チャネル（ＰＤＣＣＨ）制御空間及び／又は別の適切な制御空間をモニタすることによって行うことができる。例えばＲＮ１２０は、所与の時点にＤｅＮＢ１１０がＵＥ１３０のサブセットをスケジュールする、支援される可能性のあるグループにおけるＵＥ１３０へのＤｅＮＢ１１０からの制御情報を傍受することができる。その後ＲＮ１２０は、ＤｅＮＢ１１０とスケジュールされたＵＥ１３０との間で交換されたＤＬ制御シグナリングを復号し、ＵＥ１３０への送信の支援を開始するかを決定するために（例えば、ＵＥモニタリング・モジュール１２４を介して）ＵＥ１３０からのＵＬ  ＡＣＫ／ＮＡＫ送信を傍受しようと試みることができる。
【００２９】
更に又はあるいは、ＲＮ１２０は、ＤｅＮＢ１１０へのＵＬ送信を行っている１つ又は複数のＵＥ１３０を支援することができる。例えばＲＮ１２０は、それぞれのＵＥ１３０からＤｅＮＢ１１０への物理アップリンク共有チャネル（ＰＵＳＣＨ）送信及び／又は他のＵＬ送信のためのスケジューリング情報を含む、ＤｅＮＢ１１０からのＰＤＣＣＨ及び／又は他の制御情報を傍受することができる。そのようなスケジューリングに基づいて、ＲＮ１２０は、ＵＬにおけるＤｅＮＢ１１０への送信においてＵＥ１３０を支援するかを決定するために、ＵＥ１３０によって提供されたＵＬ送信に応答してＤｅＮＢ１１０によって提供されたＤＬ  ＡＣＫ／ＮＡＫ送信をモニタすることができる。
【００３０】
１つの例において、ＲＮ１２０は、システム１００に関連付けられた制御探索空間又は制御復号候補セットに基づいてＤｅＮＢ１１０とＵＥ１３０との間で交換された制御情報を傍受することができる。具体的には、非限定的な例として、この制御復号候補セットはＰＤＣＣＨブラインド復号に対応することができる。しかし、本明細書で説明される様々な態様は任意の適切なタイプの制御シグナリングに一般に適用可能であることが理解されるべきである。例えば、本明細書で説明される様々な態様は、データのために割り当てられた帯域幅領域（例えば、中継パケット・データ制御チャネル、すなわちＲ−ＰＤＣＣＨ）を用いる非透過的中継（例えば、タイプ１中継等）のためのバックホール通信に関連付けられた制御シグナリングに適用することができる。更に又はあるいは、本明細書で説明される様々な態様は、より良い干渉保護を容易にするための異機種ネットワークに拡大適用することができる。
【００３１】
ＰＤＣＣＨブラインド復号の非限定的例に再び言及すると、ＵＥは、所与のサイズのＰＤＣＣＨ探索空間のためのＰＤＣＣＨにおけるブラインド復号を実行するように構成されうる。１つの具体的な例において、ＵＥは、最大４４のブラインド復号を実行することができ、これは、２つの異なるＰＤＣＣＨサイズ（例えば、サイズ１及びサイズ２）の各々のための様々な開始時点及び集約レベルにわたる２２のＰＤＣＣＨロケーションに対応することができる。従って、ＵＥは、予め定められた数の要素を含む制御復号候補セット又は探索空間に関連付けられうることが理解されうる。その結果、ＲＮ１２０が複数のＵＥのための復号に関わることが必要である場合、ＲＮ１２０によって分析された制御復号探索空間の各々を合わせたサイズは、著しく大きくなりうることが理解されうる。例えば、ＵＥごとに４４のブラインド復号がある上記例において、最大１０のＵＥを支援する可能性があるＲＮ１２０は、最大４４０のブラインド復号を分析することが必要となりうる。このようにＲＮ１２０が、結合された大きな探索空間を分析することが必要である場合、ＲＮ１２０の要求される複雑性は増加しうることが理解されうる。
【００３２】
更に、結合された探索空間サイズが増加すると、誤警報（false alarm）の可能性が増加することによって、ＲＮ１２０及びシステム１００の性能は全体として低減しうる。例えば、結合された探索空間における各制御シグナリング要素のために、所与の制御シグナリング要素が対応するＵＥをユニークに識別する巡回冗長検査（ＣＲＣ）保護及び／又は他の誤り防止手段が提供されうる。しかし、誤警報及び／又は他の誤ったイベントは、ＣＲＣ保護及び／又はメカニズムを用いても発生しうることが理解されうる。例えば、ＲＮ１２０は、ＤｅＮＢ１１０から所与のＵＥ１３０へのＤＬスケジューリングを誤って検出することがあり、それに基づいてＲＮ１２０は実在しないシグナリング交換に関わろうとするであろう。そのような場合、ＵＥ１３０によってＡＣＫ／ＮＡＫシグナリングは送信されないので、いくつかの場合においてＲＮ１２０は、（例えば、ＵＥ１３０によるＡＣＫ／ＮＡＫシグナリングがないことを、デフォルトによるＮＡＫであるとみなすことにより）実在しないシグナリング交換の過度な再送信を試みることがあり、その結果、ＲＮ１２０の範囲内のデバイスへの干渉が増加しうる。
【００３３】
典型的な例において、制御シグナリング要素は、約１０−５の誤警報の可能性に対応する１６ビットのＣＲＣフィールドを用いる。しかし、ＲＮ１２０によって分析されるブラインド復号の数が増加すると、それに比例して誤警報の可能性全体が増加するであろうことが理解されうる。このように、ＲＮ１２０に関連付けられたブラインド復号の数が著しく大きいいくつかの場合において、ＲＮ１２０に関連付けられた誤警報の可能性は、システム１００のオペレータによって許容できないとみなされるレベルにまで増加しうる。
【００３４】
従って、ＲＮ１２０によって検出される誤警報の影響を低減するために、ＲＮ１２０は、所与の時点において自身が分析する制御復号候補の全体数を低減するために様々な技術を実行することができる。この目的の促進のためにＲＮ１２０によって用いられうる構成の例が、図２のシステム２００によって示される。システム２００が示すように、ＲＮ１２０は、それぞれのＰＤＣＣＨブラインド復号及び／又は他の任意の適切な制御探索空間に対応することができる１つ又は複数の制御復号候補セット２１０に関連付けられうる。１つの例において、関連ＵＥ（例えば、ＵＥ１３０）のセット及び関連ＵＥのセットにおけるそれぞれのＵＥに対応する制御復号候補のそれぞれのセットを識別することによって、制御復号候補セット２１０がＲＮ１２０によって取得されうる。続いてＲＮ１２０は、関連ＵＥのセットに対応する低減された制御復号候補サブセット２３０を生成するために、候補セット処理モジュール２２０及び／又は他の適切な手段を用いることができる。
【００３５】
システム２００によって示されるように、候補セット処理モジュール２２０は、少なくとも部分的に、（例えば、スケジュール可能ＵＥ識別モジュール２２２及び／又は他の適切な手段を用いて）所与の時間間隔においてスケジュール不可能である、関連ＵＥのセットにおける少なくとも１つのＵＥに関連付けられた制御復号候補のセットを低減された制御復号候補サブセット２３０から除外すること、（例えば、候補セット低減モジュール２２４及び／又は他の手段を介して）関連ＵＥのセットにおける少なくとも１つのＵＥに対応するそれぞれの制御復号候補セット２１０において提供された少なくとも１つの制御復号候補を低減された制御復号候補サブセット２３０から除外すること、及び／又は他の任意の適切な方法によって、低減された制御復号候補サブセット２３０を生成することができる。１つの例において、低減された制御復号候補サブセット２３０を生成する場合、ＲＮ１２０は、低減された制御復号候補サブセット２３０に少なくとも部分的に基づいて、支援するための少なくとも１つのＵＥ（例えば、新たにスケジュールされたＵＥ等）を決定することができる。
【００３６】
このように、一般的に、候補セット処理モジュール２２０は、支援するためのＵＥ及び／又は他のネットワーク・エンティティの識別においてＲＮ１２０によって用いられるブラインド復号及び／又は他の復号候補の数を低減するように動作することができることが理解されうる。候補セット処理モジュール２２０によって用いることができる様々な技術は、本明細書において提供されるモジュール２２０乃至２２４と同様、本明細書において更に詳しく提供される。更に又はあるいは、システム２００には示されないが、例えば、それぞれのペイロード・ビットを予め定められた決定値に設定すること及び／又は他の任意の適切な手段によって、（例えば、仮想ＣＲＣを用いて）仮想方式でＣＲＣサイズを増加すること及び／又はＣＲＣ長さを再設計することにより、ＲＮ１２０に関連付けられた誤警報の可能性は低減することができる。更に又はあるいは、ＣＲＣフィールドのサイズが増加される、及び／又は、制御復号候補セット２１０のそれぞれの要素に関連付けられた他の任意の適切な保護メカニズムが実施されることができる。例えば、ＤＬ及びＵＬのＰＤＣＣＨ許可は、複雑性の低減及び誤警報の可能性の低減のために、異なるサブフレームに分離されうる。従って、特定の非限定的例によると、制御復号候補セット２１０におけるそれぞれの要素は、拡大されたＣＲＣフィールド（例えば、１６ビットよりも大きいＣＲＣフィールド）に関連付けられたＰＤＣＣＨブラインド復号に対応することができる。更なる特定の非限定的例によると、ＰＤＣＣＨ許可のための候補リソースに対応する制御復号候補セット２１０におけるそれぞれの要素が識別されうる。この場合、ＰＤＣＣＨ許可のための候補リソースに対応するそれぞれの制御復号候補は、ダウンリンクＰＤＣＣＨ許可及びアップリンクＰＤＣＣＨ許可を含むＰＤＣＣＨ許可が時分割多重化を介して異なるサブフレームにおいて提供されるように構成される。
【００３７】
上述したように、候補セット処理モジュール２２０は、様々な態様に従って、ＲＮ１２０における制御復号候補セット２１０に関連付けられたブラインド復号及び／又は他の要素の数を低減するために用いることができる。図示したように、特定の例は、２０ＭＨｚのシステム帯域幅、３つのＯＦＤＭ制御シンボル、２つの送信アンテナ、及び物理ＨＡＲＱ識別子チャネル（ＰＨＩＣＨ）リソース・サイズＮｇ＝１に関して提供され、その結果、合計８４の制御チャネル要素（ＣＣＥ）が生じる。そのようなリソース構成に基づいて、ＲＮ１２０は、各関連ＵＥのためのサブフレーム依存かつＵＥ専用の探索空間を実現するように選択する、及び／又は、制御空間全体にわたる有効なＣＣＥ集約レベル全てをモニタするように選択することができる。前者は、低減された数のＰＤＣＣＨ復号候補を提供するが、更なる実現の複雑性も同様に含むことが理解されうる。
【００３８】
更に具体的には、ＵＥ専用探索空間の分割を用いた結果、４＋２＋１６Ｎの復号候補が生じる。この場合、ＮはＵＥの数であり、４の値は共有探索空間における集約レベル４のための復号候補の数に対応しており、２の値は共有探索空間における集約レベル８のための復号候補の数に対応しており、１６の値はＵＥ専用空間における復号候補の最大数に対応している（例えば、１６＝６（レベル１）＋６（レベル２）＋２（レベル４）＋２（レベル８））。あるいは、起こりうる４つの集約レベル及び所与の集約レベルＬは常にＬの整数倍のＣＣＥインデクスによって開始するという事実に注目すると、探索空間全体を用いた結果、８４＋下限（８４／２）＋下限（８４／４）＋下限（８４／８）＝１５７の復号候補が生じる。
【００３９】
上記に基づいて、ＵＥ専用探索空間の使用は、支援される可能性のあるグループにおけるＵＥの数に対して直線的に増加する複雑性を含むことが理解されうる。従って、上述したように、ＵＥの数が実質的に多い場合、復号候補の数は不都合なことに多くなりうる。あるいは、探索空間全体の使用が一定数の復号候補を有する場合、復号候補の数は、単一のＵＥ専用探索空間の復号候補の数の約７倍であることが理解されうる。
【００４０】
従って、実質的に大きい制御復号候補セット２１０に関連付けられた複雑性及び／又は性能の問題を緩和するために、ＲＮ１２０は、候補セット低減モジュール２２４を用いてＵＥごとのベースで制御復号候補セット２１０のサイズを低減したり、スケジュール可能ＵＥ識別モジュール２２２を用いて所与の時点においてＲＮ１２０によってモニタされるＵＥの数を低減したりする。候補セット低減モジュール２２４及びスケジュール可能ＵＥ識別モジュール２２２に関連して用いることができる実施形態の例が、それぞれ図３及び図４において本明細書で更に更に詳しく提供される。１つの例において、候補セット処理モジュール２２０及び／又はその中の１つ又は複数のモジュール２２２乃至２２４の動作は、それぞれのＵＥ及び／又はそれぞれのＵＥに対応するｅＮＢに関連付けられたチャネル品質、システム・ローディング、及び／又は他の要因に依存しうる。別の例において、ＲＮ１２０は、例えば、制御復号候補セット２１０及び／又はそれに関連付けられたＵＥに関する情報を交換すること、及び／又は本明細書で説明されるＲＮ１２０の様々な動作を容易にするための他の適切な動作を実行することによって、関連ＤｅＮＢと同期化することができる。
【００４１】
次に図３を参照すると、無線通信システムのための中継動作に関連する制御探索空間処理のためのシステム３００のブロック図が提供される。これは、候補セット低減モジュール２２４の動作を更に詳しく示す。システム２００と同様に、システム３００は、低減された制御復号候補サブセット２３０を生成するために、候補セット低減モジュール２２４及び／又は１つ又は複数の他の適切なモジュールによって処理されうる１つ又は複数の制御復号候補セット２１０を用いることができる。
【００４２】
１つの態様によると、候補セット低減モジュール２２４は、例えば、復号するための関連ＲＮに関するＰＤＣＣＨ及び／又は他の制御集約レベルを制限すること、ＰＤＣＣＨ及び／又は他の制御探索空間を共有探索空間のみ又はＵＥ専用探索空間のみに制限すること、制御復号候補セットを単一のＰＤＣＣＨサイズ及び／又は他の制御チャネル・サイズに制限すること、及び／又は他の手段によって、ＵＥごとの制御復号候補セット２１０における復号候補の数を制限することができる。
【００４３】
このように、第１の例において、候補セット低減モジュール２２４は、関連ＵＥのセットに対応する制御復号候補のそれぞれのセットに関連付けられた１つ又は複数の集約レベルを識別し、少なくとも部分的に、関連ＵＥのセットにおける少なくとも１つのＵＥのためのそれぞれの制御復号候補セット２１０を、１つ又は複数の選択された集約レベルに関連付けられた制御復号候補に制限することによって、低減された制御復号候補サブセット２３０の生成を容易にすることができる集約レベル・リミッタ３１２を含むことができる。第２の例において、候補セット低減モジュール２２４は、関連ＵＥのセットにおけるそれぞれのＵＥに関連付けられたそれぞれのＵＥ専用探索空間及び共有探索空間を識別し、少なくとも部分的に、関連ＵＥのセットにおける少なくとも１つのＵＥのためのそれぞれの制御復号候補セット２１０を、関連ＵＥのセットにおける少なくとも１つのＵＥのためのそれぞれのＵＥ専用探索空間に関連付けられた制御復号候補又は共有探索空間に関連付けられた制御復号候補に制限することによって、低減された制御復号候補サブセット２３０の生成を容易にすることができる探索空間リミッタ３１４を含むことができる。第３の例において、候補セット低減モジュール２２４は、それぞれの制御復号候補セット２１０に関連付けられた１つ又は複数の制御チャネル・サイズ（例えば、ＰＤＣＣＨサイズ）を識別し、少なくとも部分的に、関連ＵＥのセットにおける少なくとも１つのＵＥのためのそれぞれの制御復号候補セット２１０を、１つ又は複数の選択された制御チャネル・サイズに関連付けられた制御復号候補に制限することによって、低減された制御復号候補サブセット２３０の生成を容易にすることができる制御チャネル・サイズ・リミッタ３１６を含むことができる。
【００４４】
１つの態様によると、それぞれの集約レベルは、制御送信のための様々なレベルの保護を提供するために、システム３００において用いることができる。例えば、様々な集約レベル（例えば、レベル１、レベル２、レベル４、レベル８等）が用いられることができ、それらはコーディング・レート等に関して異なるレベルの信号保護に対応することができる。１つの例において、高い集約レベルは、低い集約レベルよりも長い距離にわたる高品質のシグナリングを可能とするために、低いコーディング・レート及び／又は他の保護尺度を用いることができる。
【００４５】
更に、中継支援型送信を必要とするＵＥは一般に、マクロ・セルの観点から劣悪なチャネル状態にあることが理解されうる。従って、ＰＤＣＣＨ及び／又は他の制御シグナリングをより確かに効率的に配信するために、大きい集約レベル（例えば、低いコーディング・レート等）が必要となる。例えば、集約レベル１、２、４、及び８がサポートされる場合、劣悪なチャネル状態を経験しているＵＥのためには集約レベル４及び８しか用いることができない。従って、集約レベル・リミッタ３１２は、例えば、関連ＲＮが送信中に支援する必要がある場合、対応するＵＥによって経験されているチャネル品質が劣悪となりそうであるという事実によって、低い集約レベルに対応する制御復号候補セット２１０の要素を排除するように構成されうる。１つの例において、上述したＰＤＣＣＨ探索空間を用い、レベル４及びレベル８のみが集約レベル・リミッタ３１２によってサポートされると仮定すると、低減された制御復号候補サブセット２３０における復号候補の数は、４＋２＋（２＋２）Ｎ＝６＋４Ｎに低減されうることが理解される。この場合、Ｎは、支援される可能性のあるグループにおけるＵＥの数である。
【００４６】
更に又はあるいは、探索空間リミッタ３１４は、制御復号候補セット２１０に関連付けられた探索空間を、共有探索空間のみに、又はＵＥ専用探索空間のみに制限することができる。１つの例において、探索空間リミッタ３１４が共有探索空間のみを用いる場合、関連ＲＮは、ＵＥ専用ＰＤＣＣＨ探索空間の計算を差し控えるように構成されうることが理解されうる。実際、そのような場合、低減された制御復号候補サブセットにおける復号候補の数は、支援される可能性のあるグループにおけるＵＥの数に関わらず、４＋２＝６に固定されることが理解されうる。別の例において、探索空間リミッタ３１４の動作は、例えばシステム・ローディングのような様々な要因に基づくことができる。例えば、探索空間リミッタ３１４は、関連ＵＥのセットに関連付けられたシステム・ローディングのレベルを識別し、識別されたシステム・ローディングのレベルに応答して、共有探索空間に関連付けられた制御復号候補を低減された制御復号候補サブセット２３０から選択的に除外する、あるいはそれらに含むことができる。
【００４７】
１つの態様によると、集約レベル・リミッタ３１２、探索空間リミッタ３１４、及び制御チャネル・サイズ・リミッタ３１６は、低減された制御復号候補サブセット２３０の生成を容易にするために、個々にあるいは組み合わさって動作することができる。例えば、集約レベル・リミッタ３１２及び探索空間リミッタ３１４は、低減された制御復号候補サブセット２３０の要素を、１つ又は複数の選択された探索空間における１つ又は複数の選択された集約レベルに制限するために、組み合わせて用いられうる。特定の例によると、集約レベル・リミッタ３１２及び探索空間リミッタ３１４は、低減された制御復号候補サブセット２３０を、共有探索空間及びＵＥ専用探索空間の両方において集約レベル４及び８に制限することができる。その結果、２［（４＋２）＋（２＋２）］＝２（１０）＝２０のブラインド復号が生じる。ここで、（４＋２）は、共有探索空間においてサポートされるブラインド復号の数であり、（２＋２）は、ＵＥ専用探索空間においてサポートされるブラインド復号の数であり、係数２は、２つのＰＤＣＣＨサイズを表す。更に又はあるいは、例えば制限された探索空間を単一のＰＤＣＣＨサイズに制限することによって、ブラインド復号の上記セットを更に制限するために、制御チャネル・サイズ・リミッタ３１６が用いられうることが理解されうる。
【００４８】
次に図４を参照すると、無線通信システムのための中継動作に関連するユーザ・スケジューリング分析のためのシステム４００のブロック図が提供される。これは、スケジュール可能ＵＥ識別モジュール２２２の動作を更に詳しく示す。システム１００と同様に、システム４００は、１つ又は複数の関連ＵＥと通信するために協働することができるＤｅＮＢ１１０及びＲＮ１２０を含むことができる。更に、システム２００及び３００と同様に、ＲＮ１２０は、１つ又は複数の制御復号候補セット２１０を用いることができ、１つ又は複数の制御復号候補セット２１０は、低減された制御復号候補サブセット２３０を生成するために、スケジュール可能ＵＥ識別モジュール２２２及び／又は１つ又は複数の他の適切なモジュールによって処理されうる。
【００４９】
システム４００が示すように、スケジュール可能ＵＥ識別モジュール２２２は、関連ＵＥのセットにおけるそれぞれのＵＥに対応するタイミング指定に関する情報（例えば、関連ＵＥのセットにおけるそれぞれのＵＥのために指定されたサブフレーム、関連ＵＥのセットにおけるそれぞれのＵＥのために指定されたＨＡＲＱ処理ＩＤ等）を取得すること、及び、少なくとも部分的に、タイミング指定に基づいて決定されたような所与の時間間隔においてスケジュール不可能である、関連ＵＥのセットにおける少なくとも１つのＵＥに関連付けられた制御復号候補を低減された制御復号候補サブセット２３０から除外することによって、低減された制御復号候補サブセット２３０の生成を容易にすることによって動作することができる。１つの例において、ＲＮ１２０は、関連ＵＥのセットにおけるそれぞれのＵＥに対応するタイミング指定に関するシグナリングを、（例えば、スケジューリング・モジュール１１２を介して）それぞれのＵＥに関連付けられたＤｅＮＢ１１０から受信することができる。
【００５０】
１つの態様によると、スケジュール可能ＵＥ識別モジュール２２２は、所与の時点において、ＲＮに関連付けられたＵＥ全てのうちのほんの一部しかスケジュールされる可能性がないように、所与の時点においてＵＥのグループ化を実行することによって、ＰＤＣＣＨブラインド復号及び／又は他の制御復号候補の数を低減することができる。特定の非限定的な例によると、ＲＮ１２０のための支援される可能性のあるＵＥグループは、ＵＥ０、ＵＥ１、ＵＥ２、ＵＥ３、及びＵＥ４と示される５つのＵＥを含むことができる。そのようなＵＥに関して、ＤｅＮＢ１１０は、各ＨＡＲＱ処理ＩＤについて、新たにスケジュールされる可能性のある最大１つのＵＥがグループ内にあること、例えば、８つのＨＡＲＱ処理ＩＤのＴＤＭ構成を仮定すると、ＨＡＲＱ処理ｘの場合｛ＵＥｘ｝、ｘ＝｛０，１，２，３，４｝、ＨＡＲＱ処理５の場合｛ＵＥ０｝、ＨＡＲＱ処理６の場合｛ＵＥ１｝、ＨＡＲＱ処理７の場合｛ＵＥ２｝、等であることを通知することができる。あるいは、例えば、Ｈ−ＡＲＱ処理０の場合、｛ＵＥ０，ＵＥ３｝等のように、１つより多いＵＥがＨＡＲＱ処理ＩＤごとに許可されうる。
【００５１】
１つの例において、リソース指定処理モジュール４１２及び／又はスケジュール可能ＵＥ識別モジュール２２２における他のメカニズムは、そのようなマッピングを識別及び処理することができ、リソース識別子４１４及び／又は他の手段は、ブラインド復号及び／又は他の制御候補を、識別された時間リソースにおいてスケジュール可能なＵＥのみに低減するために、現在関連付けられているリソース（例えば、現在のサブフレーム及び／又は対応するＨＡＲＱ  ＩＤ）を識別することができる。例えば、ＨＡＲＱ処理ＩＤに対応するリソース指定の場合、スケジュール可能ＵＥ識別モジュール２２２は、少なくとも部分的に、関連ＵＥのセットにおけるそれぞれのＵＥに対応するＨＡＲＱ処理ＩＤと所与の時間間隔に対応するＨＡＲＱ処理ＩＤとを比較することによって、所与の時間間隔においてスケジュール不可能である、関連ＵＥのセットにおける少なくとも１つのＵＥを識別することができる。
【００５２】
図２を参照すると、候補セット処理モジュール２２０は、低減された制御復号候補サブセット２３０を生成するために、スケジュール可能ＵＥ識別モジュール２２２及び候補セット低減モジュール２２４を個々に又は協働させて用いることができる。例えば、スケジュール可能ＵＥ識別モジュール２２２が、制御復号候補を現在スケジュール可能であるＵＥのセットに制限するために最初に用いられ、続いて候補セット低減モジュールが、残りの候補を、指定された集約レベル、探索空間、制御チャネル・サイズ等に制限するために用いられることができる。
【００５３】
例示によると、候補セット処理モジュール２２０は、図５のフロー図５００において示されたように１つの例において動作することができる。フロー図５００が示すように、候補セット処理は、復号ステップ５０４が後続する構成ステップ５０２として実行されうる。構成ステップ５０２において示されるように、ＤｅＮＢ及びＲＮは、ＵＥのセットＳを共有することができ、セットＳにおける各ＵＥについて、制御インデクスＮｉが識別されうる。構成ステップ５０２において更に示されるように、セットＳは、サブフレーム（又は、ＨＡＲＱ処理ＩＤ）ｎにおいてスケジュールされたセットＳにおけるそれぞれのＵＥを含むサブセットＴ（ｎ）に分割されうる。次に、フロー図５００に従って動作しているＲＮは、（ｉ）（例えば、システム４００によって示されたような）サブフレーム（又は、ＨＡＲＱ処理ＩＤ）ＮにおいてスケジュールされたセットＳにおけるＵＥのサブセットＴ（Ｎ）、（ｉｉ）（例えば、システム３００によって示されたような）セットＳにおける少なくとも１つのＵＥのための制御インデクスＮｉのサブセットＫｉ（Ｎ）、又は（ｉｉｉ）（ｉ）と（ｉｉ）との組み合わせ、を復号しようと試みることによって、サブフレーム（又は、ＨＡＲＱ処理ＩＤ）Ｎにおいて復号ステップ５０４を実行することができる。
【００５４】
次に図６を参照すると、システム・ローディング及び／又はチャネル品質に基づく制御復号候補セット処理のためのシステム６００が示される。図６に示すように、システム６００は、本明細書で説明されるような様々な態様に従って、制御復号候補セット２１０を低減された制御復号候補サブセット２３０に処理するために、スケジュール可能ＵＥ識別モジュール２２２、候補セット低減モジュール２２４等を用いることができる候補セット処理モジュール２２０を含むことができる。図６に更に示されるように、システム６００は、システム・ローディング・モニタ６１２を介してシステム・ローディングをモニタし、チャネル品質モニタを介してそれぞれの関連ＵＥに関連付けられたチャネル品質をモニタし、及び／又は他の適切なネットワーク・プロパティをモニタすることができる。
【００５５】
１つの例において、システム・ローディング・モニタ６１２は、探索空間の低減が実行される範囲を動的に制御するために候補セット処理モジュール２２０によって用いられうる。一例によると、上述したような共有探索空間は、それぞれのＵＥのためのＵＥ専用探索空間とは反対に、ブロードキャスト・トラヒック（例えば、ページング、システム情報の変更、ランダム・アクセス・メッセージング等）及びＵＥ専用トラヒックのために用いられうることが理解されうる。更に、システムが実質的にロードされると、共有探索空間においてＵＥ専用トラヒックをスケジュールすることは望ましくない場合がある。従って、システム・ローディング・モニタ６１２は、共有探索空間を用いることによる利益と、更に必要となるブラインド復号との間の兼ね合いを管理するために、関連システムがロードされていない場合にしか共有探索空間が用いられないように、（例えば、候補セット低減モジュール２２４を介して）候補セット処理モジュール２２０を動作させることができる。言い換えると、システム・ローディング・モニタ６１２は、ローディングが増加すると、ＲＮ１２０の観点から共有探索空間のディセーブルを促進することができる。
【００５６】
別の例において、システム・ローディング・モニタ６１２は、関連ＵＥのセットに関連付けられたシステム・ローディングのレベルを識別することができ、それに基づいて、候補セット処理モジュール２２０は、識別されたシステム・ローディングに応答して、低減された制御復号候補サブセット２３０から制御復号候補を除外する範囲を決定することができる。このように、候補セット処理モジュール２２０及びそこに含まれるモジュールの動作は、システム・ロードに基づいて動的な方式でより広く構成されることができる。例えば、システム・ローディングが低減すると、候補セット処理モジュール２２０は、低減された制御復号候補サブセット２３０から制御復号候補が除去される範囲を低減することができる。
【００５７】
別の態様によると、それぞれの集約レベルに対応する所与のＵＥのための制御復号候補の除去は、チャネル品質モニタ６１４によってモニタされたようなＵＥに関連付けられたチャネル品質に基づくことができる。例えば、集約レベル・リミッタ３１２は、チャネル品質モニタ６１４によって測定されたような、関連ＵＥのセットにおけるそれぞれのＵＥと、それぞれのＵＥのためのＤｅＮＢとの間のチャネル品質に少なくとも部分的に基づいて、低減された制御復号候補サブセット２３０に含めるための１つ又は複数の集約レベルを識別することができる。例えば上述したように、チャネル品質が低下すると、集約レベル・リミッタ３１２は、より低い集約レベルに対応する制御復号候補の除去を促進することができる。
【００５８】
図７乃至９を参照すると、本明細書で説明される様々な態様に従って実行することができる方法が示される。説明の簡略化の目的のために、方法は一連の動作として示され説明されるが、いくつかの動作は、１つ又は複数の態様に従って、本明細書で示され説明される順序とは異なる順序で及び／又は他の動作と同時に発生することができるように、この方法は動作の順序によって限定されないことが理解されるべきである。例えば当業者は、方法が、例えば状態図におけるように、一連の互いに関連するステート又はイベントとしても表されうることを理解するであろう。更に、１つ又は複数の態様に従って方法を実施するために、必ずしも図示された動作全てが必要というわけではない。
【００５９】
図７を参照すると、無線通信システムにおける透過的中継動作を容易にするための効率的な制御復号のための方法７００が示される。方法７００は例えば、中継ノード（例えば、ＲＮ１２０）及び／又は他の任意の適切なネットワーク・エンティティによって実行されうることが理解される。方法７００はブロック７０２において開始し、ここで、関連ＵＥ（例えば、ＵＥ１３０）のセットと、関連ＵＥのセットにおけるそれぞれのＵＥに対応する制御復号候補のそれぞれのセットとが識別される。
【００６０】
１つの態様によると、ブロック７０２において説明される動作を完了すると、方法７００は、ブロック７０４又は７０６のうちの１つ又は複数において終結することができる。ブロック７０４において、少なくとも部分的に、所与の時間間隔においてスケジュール不可能である、関連ＵＥのセットにおける少なくとも１つのＵＥに関連付けられた制御復号候補のセットを制御復号候補の縮減されたサブセットから除外することによって、ブロック７０２で識別された関連ＵＥのセットに対応する制御復号候補の縮減されたサブセットが生成される。ブロック７０６において、少なくとも部分的に、関連ＵＥのセットにおける少なくとも１つのＵＥのための制御復号候補のそれぞれのセットからの少なくとも１つの制御復号候補を制御復号候補の縮減されたサブセットから除外することによって、ブロック７０２で識別された関連ＵＥのセットに対応する制御復号候補の縮減されたサブセットが生成される。
【００６１】
図８を参照すると、無線通信システムにおける透過的中継動作を容易にするための効率的な制御復号のための第２の方法８００のフロー図が示される。方法８００は例えば、中継ノード及び／又は他の任意の適切なネットワーク・エンティティによって実行することができる。方法８００はブロック８０２において開始し、ここで、共有探索空間及び関連ＵＥのセットにおけるそれぞれのＵＥに関連付けられたＵＥ専用探索空間、及び／又は、制御復号候補のそれぞれのセットに関連付けられた１つ又は複数の集約レベルが識別される。方法８００はその後ブロック８０４で終結することができ、ここで、少なくとも部分的に、（例えば、探索空間リミッタ３１４を介して）関連ＵＥのセットにおける少なくとも１つのＵＥのための制御復号候補のそれぞれのセットを関連ＵＥのセットにおける少なくとも１つのＵＥのためのそれぞれのＵＥ専用探索空間に関連付けられた制御復号候補又は共有探索空間に関連付けられた制御復号候補に制限すること、及び／又は、（例えば、集約レベル・リミッタ３１２を介して）関連ＵＥのセットにおける少なくとも１つのＵＥのための制御復号候補のそれぞれのセットを１つ又は複数の選択された集約レベルに関連付けられた制御復号候補に制限することによって、制御復号候補の縮減されたサブセットが生成される。
【００６２】
図９は、無線通信システムにおける透過的中継動作を容易にするための効率的な制御復号のための第３の方法９００を示す。方法９００は、例えば、中継ノードとしてサービス提供している無線ネットワーク・ノード及び／又は他の適切なネットワーク・エンティティによって実行することができる。方法９００はブロック９０２において開始し、ここで、関連ＵＥのセットにおけるそれぞれのＵＥに対応するタイミング指定に関する情報が（例えば、リソース指定処理モジュール４１２によって）取得される。方法９００はその後ブロック９０４において終結することができ、ここで、少なくとも部分的に、タイミング指定に基づいて（例えば、リソース指定処理モジュール４１２及び／又はリソース識別子４１４によって）決定されたような所与の時間間隔においてスケジュール不可能である、関連ＵＥのセットにおける少なくとも１つのＵＥに関連付けられた制御復号候補のセットを制御復号候補の縮減されたサブセットから除外することによって、制御復号候補の縮減されたサブセットが生成される。
【００６３】
図１０を参照すると、中継支援型無線通信システムにおける制御復号探索空間処理を容易にする装置１０００が示される。装置１０００は、プロセッサ、ソフトウェア、又はそれらの組み合わせ（例えば、ファームウェア）によって実現される機能を表す機能ブロックであることができる機能ブロックを含むように表されていることが理解される。装置１０００は、中継ノード（例えば、ＲＮ１２０）及び／又は他の任意の適切なネットワーク・エンティティによって実現することができ、支援される可能性のあるグループにおけるそれぞれのＵＥに関連付けられた制御復号候補のセットを識別するためのモジュール１００２と、少なくとも部分的に、制御復号候補の少なくとも１つのセットから１つ又は複数の制御復号候補を排除すること、又は支援される可能性のあるグループにおける少なくとも１つのＵＥに対応する制御復号候補のセットを排除することによって、制御復号候補の縮減されたサブセットを生成するためのモジュール１００４と、を含むことができる。
【００６４】
図１１は、本明細書で説明される機能の様々な態様を実現するために用いることができるシステム１１００のブロック図である。１つの例において、システム１１００は、モバイル端末１１０２を含む。図示されたように、モバイル端末１１０２は、１つ又は複数の基地局１１０４からの信号を受信し、１つ又は複数のアンテナ１１０８を介して１つ又は複数の基地局１１０４へ送信することができる。更に又はあるいは、モバイル端末１１０２は、アンテナ１１０８を介して１つ又は複数の中継ノード１１０６と通信することができる。更に、モバイル端末１１０２は、アンテナ１１０８からの情報を受信する受信機１１１０を備えることができる。１つの例において、受信機１１１０は、受信した情報を復調する復調器（Ｄｅｍｏｄ）１１１２に動作的に関連付けられうる。復調されたシンボルはその後、プロセッサ１１１４によって分析されうる。プロセッサ１１１４は、モバイル端末１１０２に関連するデータ及び／又はプログラム・コードを格納することができるメモリ１１１６に結合されうる。モバイル端末１１０２は、アンテナ１１０８を通した送信機１１２０による送信のために信号を多重化することができる。
【００６５】
図１２は、本明細書で説明される機能の様々な態様を実現するために用いることができる別のシステム１２００のブロック図である。１つの例において、システム１２００は、基地局又はノードＢ１２０２を含む。図示されるように、ノードＢ１２０２は、１つ又は複数の受信（Ｒｘ）アンテナ１２０６を介して１つ又は複数のＵＥ１２０４からの信号を受信し、１つ又は複数の送信（Ｔｘ）アンテナ１２０８を介して１つ又は複数のＵＥ１２０４へ送信することができる。更に、ノードＢ１２０２は、受信アンテナ１２０６からの情報を受信する受信機１２１０を備えることができる。１つの例において、受信機１２１０は、受信した情報を復調する復調器（Ｄｅｍｏｄ）１２１２に動作的に関連付けられうる。復調されたシンボルはその後、プロセッサ１２１４によって分析されうる。プロセッサ１２１４は、コード・クラスタに関連する情報、アクセス端末割当て、それに関連するルックアップ・テーブル、ユニーク・スクランブリング・シーケンス、及び／又は他の適切なタイプの情報を格納することができるメモリ１２１６に結合されうる。ノードＢ１２０２はまた、送信アンテナ１２０８を通した送信機１２２０による送信のために信号を多重化することができる変調器１２１８を含むこともできる。１つの例において、ノードＢ１２０２は、バックホール・リンク及び／又は他の適切な手段を介して１つ又は複数の中継ノード１２２２に更に接続されうる。中継ノード１２２２及び／又はノードＢ１２０２は、方法７００乃至９００及び／又は他の同様の適切な方法を実行するように動作することができる。
【００６６】
図１３を参照すると、様々な態様に従って、無線多元接続通信システムの例が提供される。１つの例において、アクセス・ポイント１３００（ＡＰ）は、複数のアンテナ・グループを含む。図１３に示すように、１つのアンテナ・グループはアンテナ１３０４及び１３０６を含み、別のグループはアンテナ１３０８及び１３１０を含み、また別のグループはアンテナ１３１２及び１３１４を含むことができる。図１３には各アンテナ・グループについて２つのアンテナしか示さないが、より多い数又はより少ない数のアンテナが各アンテナ・グループのために用いられうることが理解されるべきである。別の例において、アクセス端末１３１６はアンテナ１３１２及び１３１４と通信中であることができ、この場合アンテナ１３１２及び１３１４は、順方向リンク１３２０を介してアクセス端末１３１６へ情報を送信し、逆方向リンク１３１８を介してアクセス端末１３１６からの情報を受信する。更に及び／又はあるいは、アクセス端末１３２２はアンテナ１３０６及び１３０８と通信中であることができ、この場合アンテナ１３０６及び１３０８は、順方向リンク１３２６を介してアクセス端末１３２２へ情報を送信し、逆方向リンク１３２４を介してアクセス端末１３２２からの情報を受信する。周波数分割二重通信システムにおいて、通信リンク１３１８、１３２０、１３２４、及び１３２６は、通信のために異なる周波数を用いることができる。例えば順方向リンク１３２０は、逆方向リンク１３１８によって用いられる周波数とは異なる周波数を用いることができる。
【００６７】
アンテナの各グループ及び／又はそれらが通信するように指定されたエリアは、アクセス・ポイントのセクタとして称されうる。１つの態様によると、アンテナ・グループは、アクセス・ポイント１３００によってカバーされているエリアのセクタ内のアクセス端末と通信するように指定されうる。順方向リンク１３２０及び１３２６を介した通信において、アクセス・ポイント１３００の送信アンテナは、異なるアクセス端末１３１６及び１３２２のための順方向リンクの信号対雑音比を改善するために、ビームフォーミングを用いることができる。また、自身のカバレージにランダムに散在しているアクセス端末へ送信するためにビームフォーミングを用いているアクセス・ポイントは、自身のアクセス端末全てへ単一のアンテナを通して送信するアクセス・ポイントよりも、近隣セル内のアクセス端末に対する干渉を少なくさせる。
【００６８】
例えば、アクセス・ポイント１３００のようなアクセス・ポイントは、端末と通信するために用いられる固定局であることができ、基地局、ｅＮＢ、アクセス・ネットワーク、及び／又は他の適切な用語とも称されうる。更に、例えばアクセス端末１３１６又は１３２２のようなアクセス端末は、モバイル端末、ユーザ機器、無線通信デバイス、端末、無線端末、及び／又は他の適切な用語とも称されうる。
【００６９】
図１４を参照すると、本明細書で説明される様々な態様が機能することができる無線通信システム１４００の例を示すブロック図が提供される。１つの例において、システム１４００は、送信機システム１４１０及び受信機システム１４５０を含む複数入力複数出力（ＭＩＭＯ）システムである。しかし、送信機システム１４１０及び／又は受信機システム１４５０は、例えば、（例えば、基地局における）複数の送信アンテナが１つ又は複数のシンボル・ストリームを単一のアンテナ・デバイス（例えば、モバイル局）へ送信することができる複数入力単一出力システムにも適用されうることが理解されるべきである。更に、本明細書で説明される送信機システム１４１０及び／又は受信機システム１４５０の態様は、単一出力単一入力アンテナ・システムに関連して用いられうることが理解されるべきである。
【００７０】
１つの態様によると、多数のデータ・ストリームのためのトラヒック・データが、送信機システム１４１０においてデータ・ソース１４１２から送信（ＴＸ）データ・プロセッサ１４１４へ提供される。１つの例において、各データ・ストリームはその後、それぞれの送信アンテナ１４２４を介して送信されうる。更に、ＴＸデータ・プロセッサ１４１４は、符号化データを提供するために、各それぞれのデータ・ストリームのために選択された特定のコーディング・スキームに基づいて、各データ・ストリームのためのトラヒック・データをフォーマット、符号化、及びインタリーブすることができる。１つの例において、各データ・ストリームのための符号化データはその後、ＯＦＤＭ技術を用いてパイロット・データと多重化されうる。パイロット・データは例えば、周知の方式で処理された周知のデータ・パターンであることができる。更に、パイロット・データは、チャネル応答を推定するために受信機システム１４５０において用いられうる。送信機システム１４１０において、各データ・ストリームのための多重化パイロット及び符号化データは、変調シンボルを提供するために、各それぞれのデータ・ストリームのために選択された特定の変調スキーム（例えば、ＢＰＳＫ、ＱＳＰＫ、Ｍ−ＰＳＫ、又はＭ−ＱＡＭ）に基づいて変調（例えば、シンボル・マップ）されうる。１つの例において、各データ・ストリームのためのデータ・レート、コーディング、及び変調は、プロセッサ１４３０において実行及び／又は提供された命令によって決定することができる。
【００７１】
次に、全てのデータ・ストリームのための変調シンボルが、（例えば、ＯＦＤＭのために）変調シンボルを更に処理することができるＴＸ  ＭＩＭＯプロセッサ１４２０へ提供されうる。ＴＸ  ＭＩＭＯプロセッサ１４２０はその後、ＮＴ個のトランシーバ１４２２ａ乃至１４２２ｔへＮＴ個の変調シンボル・ストリームを提供することができる。１つの例において、各トランシーバ１４２２は、１つ又は複数のアナログ信号を提供するためにそれぞれのシンボル・ストリームを受信し処理することができる。各トランシーバ１４２２はその後、ＭＩＭＯチャネルを介した送信のために適切な変調信号を提供するために、アナログ信号を更に調整（例えば、増幅、フィルタ、及びアップコンバート）することができる。その後、トランシーバ１４２２ａ乃至１４２２ｔからのＮＴ個の変調信号がＮＴ個のアンテナ１４２４ａ乃至１４２４ｔからそれぞれ送信されうる。
【００７２】
別の態様によると、送信された変調信号は、受信機システム１４５０においてＮＲ個のアンテナ１４５２ａ乃至１４５２ｒによって受信されうる。各アンテナ１４５２からの受信信号はその後、それぞれのトランシーバ１４５４へ提供されうる。１つの例において、各トランシーバ１４５４は、それぞれの受信信号を調整（例えば、フィルタ、増幅、及びダウンコンバート）し、調整された信号をデジタル化してサンプルを提供し、その後サンプルを処理して、対応する「受信された」シンボル・ストリームを提供することができる。ＲＸ  ＭＩＭＯ／データ・プロセッサ１４６０はその後、ＮＴ個の「検出された」シンボル・ストリームを提供するために、特定の受信機処理技術に基づいて、ＮＲ個のトランシーバ１４５４からのＮＲ個の受信されたシンボル・ストリームを受信し処理することができる。１つの例において、各検出されたシンボル・ストリームは、対応するデータ・ストリームのために送信された変調シンボルの推定であるシンボルを含むことができる。ＲＸプロセッサ１４６０はその後、対応するデータ・ストリームのためのトラヒック・データを復元するために、少なくとも部分的に、各検出されたシンボル・ストリームを復調、デインタリーブ、及び復号することによって各シンボル・ストリームを処理することができる。このように、ＲＸプロセッサ１４６０による処理は、送信機システム１４１０におけるＴＸデータ・プロセッサ１４１４及びＴＸ  ＭＩＭＯプロセッサ１４２０によって実行された処理と相互補完的であることができる。ＲＸプロセッサ１４６０は、処理されたシンボル・ストリームをデータ・シンク１４６４へ更に提供することができる。
【００７３】
１つの態様によると、ＲＸプロセッサ１４６０によって生成されたチャネル応答推定は、受信機における空間／時間処理の実行、電力レベルの調整、変調レート又は変調スキームの変更、及び／又は他の適切な動作のために用いることができる。更に、ＲＸプロセッサ１４６０は、例えば検出されたシンボル・ストリームの信号対雑音干渉比（ＳＮＲ）のようなチャネル特性を更に推定することができる。ＲＸプロセッサ１４６０はその後、推定されたチャネル特性をプロセッサ１４７０へ提供することができる。１つの例において、ＲＸプロセッサ１４６０及び／又はプロセッサ１４７０は、システムのために「動作中の」ＳＮＲの推定を更に導出することができる。プロセッサ１４７０はその後、受信データ・ストリーム及び／又は通信リンクに関する情報を備えることができるチャネル状態情報（ＣＳＩ）を提供することができる。この情報は、例えば動作中のＳＮＲを含むことができる。ＣＳＩはその後、ＴＸデータ・プロセッサ１４１８によって処理され、変調器１４８０によって変調され、トランシーバ１４５４ａ乃至１４５４ｒによって調整され、送信機システム１４１０へ送り戻されうる。更に、受信機システム１４５０におけるデータ・ソース１４１６は、ＴＸデータ・プロセッサ１４１８によって処理される追加のデータを提供することができる。
【００７４】
送信機システム１４１０を再び参照すると、受信機システム１４５０からの変調信号はその後アンテナ１４２４によって受信され、トランシーバ１４２２によって調整され、復調器１４４０によって復調され、受信機システム１４５０によって報告されたＣＳＩを復元するためにＲＸデータ・プロセッサ１４４２によって処理されることができる。１つの例において、報告されたＣＳＩはその後、プロセッサ１４３０へ提供され、１つ又は複数のデータ・ストリームのために用いられるコーディング・スキーム及び変調スキームとデータ・レートとを決定するために用いられうる。決定されたコーディング・スキーム及び変調スキームはその後、後の受信機システム１４５０への送信に用いるため及び／又は量子化のためにトランシーバ１４２２へ提供されうる。更に及び／又はあるいは、報告されたＣＳＩは、ＴＸデータ・プロセッサ１４１４及びＴＸ  ＭＩＭＯプロセッサ１４２０のための様々な制御を生成するためにプロセッサ１４３０によって用いられうる。別の例において、ＲＸデータ・プロセッサ１４４２によって処理されたＣＳＩ及び／又は他の情報は、データ・シンク１４４４へ提供されうる。
【００７５】
１つの例において、送信機システム１４１０におけるプロセッサ１４３０及び受信機システム１４５０におけるプロセッサ１４７０は、それぞれのシステムにおける動作を指示する。更に、送信機システム１４１０におけるメモリ１４３２及び受信機システム１４５０におけるメモリ１４７２はそれぞれ、プロセッサ１４３０及び１４７０によって用いられるデータ及びプログラム・コードの格納を提供することができる。更に、受信機システム１４５０において、ＮＲ個の受信信号を処理し、ＮＴ個の送信されたシンボル・ストリームを検出するために様々な処理技術が用いられうる。これらの受信機処理技術は、等化技術とも称されうる空間及び時空間受信機処理技術、及び／又は「連続干渉除去」あるいは「連続除去」受信機処理技術とも称されうる「連続ヌル化／等化及び干渉除去」受信機処理技術を含むことができる。
【００７６】
本明細書で説明された態様は、ハードウェア、ソフトウェア、ファームウェア、ミドルウェア、マイクロコード、又はそれらの任意の組み合わせによって実現されうることが理解されるべきである。システム及び／又は方法は、ソフトウェア、ファームウェア、ミドルウェアあるいはマイクロコード、プログラム・コードあるいはコード・セグメントによって実現され、それらは例えば記憶部品のような機械読取可能媒体に格納されうる。コード・セグメントは、手順、関数、サブプログラム、プログラム、ルーチン、サブルーチン、モジュール、ソフトウェア・パッケージ、クラス、又は命令、データ構成、あるいはプログラム・セグメントの任意の組み合わせを表すことができる。コード・セグメントは、情報、データ、引数、パラメータ、又はメモリ・コンテンツをパス及び／又は受信することによって、別のコード・セグメント又はハードウェア回路に結合されうる。情報、引数、パラメータ、データ等は、メモリ共有、メッセージ・パッシング、トークン・パッシング、ネットワーク送信等を含む任意の適切な手段を用いてパス、転送、又は送信されうる。
【００７７】
ソフトウェアによる実現の場合、本明細書で説明された技術は、本明細書で説明された機能を実行するモジュール（例えば、手順、関数等）を用いて実現されうる。ソフトウェア・コードは、メモリ・ユニット内に格納され、プロセッサによって実行されうる。メモリ・ユニットは、プロセッサの内部に又はプロセッサに外付けで実装されることができ、何れの場合も、当該技術において周知であるような様々な手段を介してプロセッサと通信可能であるように結合されうる。
【００７８】
上記は、１つ又は複数の態様の例を含む。勿論、上記態様を説明する目的のために考えうる構成要素あるいは方法の組み合わせの全てを説明することは不可能であるが、当業者は、様々な態様の多数の更なる組み合わせ及び順列が可能であることを理解することができる。従って、上述された態様は、特許請求の範囲の趣旨及び範囲におさまるそのような代替例、改良例、及び変形例の全てを包含することが意図されている。更に、「含む」という用語は、詳細な説明又は特許請求の範囲の何れにおいて用いられる場合も、「備える」という用語が特許請求の範囲において移行を示す言葉として用いられる場合に解釈される場合の「備える」と同様に包括的であることが意図されている。更に、「又は」という用語は、詳細な説明又は特許請求の範囲の何れにおいて用いられる場合も、「非排他的な又は」が意味されている。
以下に本願発明の当初の特許請求の範囲に記載された発明を付記する。
[Ｃ１］
下記を備える方法：
関連するユーザ機器ユニット（ＵＥ）のセットと、前記関連するＵＥのセットにおけるそれぞれのＵＥに対応する制御復号候補のそれぞれのセットとを識別すること；および、
下記のうちの１つ又は複数を実行することによって、前記関連するＵＥのセットに対応する制御復号候補の縮減されたサブセットを少なくとも部分的に生成すること：
所与の時間間隔においてスケジュール不可能である、前記関連するＵＥのセットにおける少なくとも１つのＵＥに関連付けられた制御復号候補のセットを、制御復号候補の縮減されたサブセットから除外すること；および、
前記関連するＵＥのセットにおける少なくとも１つのＵＥのための制御復号候補のそれぞれのセットからの少なくとも１つの制御復号候補を前記制御復号候補の縮減されたサブセットから除外すること。
[Ｃ２］
前記制御復号候補の縮減されたサブセットに少なくとも部分的に基づいて、前記関連するＵＥのセットから、少なくとも１つの新たにスケジュールされたＵＥを決定することを更に備える、Ｃ１に記載の方法。
[Ｃ３］
前記生成することは、下記を備える、Ｃ１に記載の方法：
前記関連するＵＥのセットにおけるそれぞれのＵＥに対応するタイミング指定に関する情報を取得すること；および、
前記タイミング指定に基づいて決定されたような所与の時間間隔においてスケジュール不可能である、前記関連するＵＥのセットにおける少なくとも１つのＵＥに関連付けられた制御復号候補のセットを、前記制御復号候補の縮減されたサブセットから除外することによって、前記制御復号候補の縮減されたサブセットを少なくとも部分的に生成すること。
[Ｃ４］
前記タイミング指定は、前記関連するＵＥのセットにおけるそれぞれのＵＥのために指定されたサブフレームに対応する、Ｃ３に記載の方法。
[Ｃ５］
前記タイミング指定は、前記関連するＵＥのセットにおけるそれぞれのＵＥのために指定されたハイブリッド自動反復要求（ＨＡＲＱ）処理識別子（ＩＤ）に対応する、Ｃ３に記載の方法。
[Ｃ６］
前記生成することは更に、前記関連するＵＥのセットにおけるそれぞれのＵＥに対応するＨＡＲＱ処理ＩＤと、所与の時間間隔に対応するＨＡＲＱ処理ＩＤとを比較することによって、前記所与の時間間隔においてスケジュール不可能である、前記関連するＵＥのセットにおける少なくとも１つのＵＥを少なくとも部分的に識別することを備える、Ｃ５に記載の方法。
[Ｃ７］
前記情報を取得することは、前記関連するＵＥのセットにおけるそれぞれのＵＥに関連付けられたドナー次世代ノードＢ（ＤｅＮＢ）から、前記関連するＵＥのセットにおけるそれぞれのＵＥに対応するタイミング指定に関するシグナリングを受信することを備える、Ｃ３に記載の方法。
[Ｃ８］
前記生成することは、下記を備える、Ｃ１に記載の方法：
前記関連するＵＥのセットにおけるそれぞれのＵＥに関連付けられたそれぞれのＵＥ専用探索空間と共有探索空間とを識別すること；および、
前記関連するＵＥのセットにおける少なくとも１つのＵＥのための制御復号候補のそれぞれのセットを、前記関連するＵＥのセットにおける少なくとも１つのＵＥのためのそれぞれのＵＥ専用探索空間に関連付けられた制御復号候補又は前記共有探索空間に関連付けられた制御復号候補に制限することによって、前記制御復号候補の縮減されたサブセットを少なくとも部分的に生成すること。
[Ｃ９］
前記生成することは、更に下記を備える、Ｃ８に記載の方法：
前記関連するＵＥのセットに関連付けられたシステム・ローディングのレベルを識別すること；および、
前記関連するＵＥのセットに関連付けられたシステム・ローディングの識別されたレベルに応答して、前記共有探索空間に関連付けられた制御復号候補を前記制御復号候補の縮減されたサブセットから選択的に除外する又は含めること。
[Ｃ１０］
前記生成することは、下記を備える、Ｃ１に記載の方法：
前記制御復号候補のそれぞれのセットに関連付けられた１つ又は複数の集約レベルを識別すること；および、
前記関連するＵＥのセットにおける少なくとも１つのＵＥのための制御復号候補のそれぞれのセットを、１つ又は複数の選択された集約レベルに関連付けられた制御復号候補に制限することによって、前記制御復号候補の縮減されたサブセットを少なくとも部分的に生成すること。
[Ｃ１１］
前記生成することは更に、前記関連するＵＥのセットにおけるそれぞれのＵＥと、前記関連するＵＥのセットにおけるそれぞれのＵＥのためのドナー次世代ノードＢ（ＤｅＮＢ）との間のチャネル品質に少なくとも部分的に基づいて、前記１つ又は複数の選択された集約レベルを識別することを備える、Ｃ１０に記載の方法。
[Ｃ１２］
前記生成することは、下記を備える、Ｃ１に記載の方法：
前記制御復号候補のそれぞれのセットに関連付けられた１つ又は複数の制御チャネル・サイズを識別すること；および、
前記関連するＵＥのセットにおける少なくとも１つのＵＥのための制御復号候補のそれぞれのセットを、１つ又は複数の選択された制御チャネル・サイズに関連付けられた制御復号候補に制限することによって、前記制御復号候補の縮減されたサブセットを少なくとも部分的に生成すること。
[Ｃ１３］
前記生成することは、下記を備える、Ｃ１に記載の方法：
前記関連するＵＥのセットに関連付けられたシステム・ローディングのレベルを識別すること；および、
前記関連するＵＥのセットに関連付けられたシステム・ローディングの識別されたレベルに応答して、前記制御復号候補の縮減されたサブセットから制御復号候補を除外する範囲を決定すること。
[Ｃ１４］
前記制御復号候補は、それぞれの物理ダウンリンク制御チャネル（ＰＤＣＣＨ）ブラインド復号に対応する、Ｃ１に記載の方法。
[Ｃ１５］
それぞれのＰＤＣＣＨブラインド復号は、１６ビットよりも大きい巡回冗長検査（ＣＲＣ）フィールドに関連付けられている、Ｃ１４に記載の方法。
[Ｃ１６］
前記識別することは、物理ダウンリンク制御チャネル（ＰＤＣＣＨ）許可のための候補リソースに対応するそれぞれの制御復号候補を識別することを備え、前記ＰＤＣＣＨ許可のための候補リソースに対応するそれぞれの制御復号候補は、ダウンリンクＰＤＣＣＨ許可及びアップリンクＰＤＣＣＨ許可を含むＰＤＣＣＨ許可が時分割多重化を介して異なるサブフレームにおいて提供されるように構成される、Ｃ１に記載の方法。
[Ｃ１７］
下記を備える無線通信装置：
関連ユーザ機器ユニット（ＵＥ）のセットと、前記関連するＵＥのセットにおけるそれぞれのＵＥに対応する制御復号候補のそれぞれのセットとに関するデータを格納するメモリ；および、
下記を実行することによって、前記関連するＵＥのセットに少なくとも部分的に対応する制御復号候補の縮減されたサブセットを生成するように構成されたプロセッサ：
所与の時間間隔においてスケジュール不可能である、前記関連するＵＥのセットにおける少なくとも１つのＵＥに関連付けられた制御復号候補のセットを制御復号候補の縮減されたサブセットから除外すること、又は
前記関連するＵＥのセットにおける少なくとも１つのＵＥのための制御復号候補のそれぞれのセットからの少なくとも１つの制御復号候補を前記制御復号候補の縮減されたサブセットから除外すること。
[Ｃ１８］
前記メモリは更に、前記関連するＵＥのセットにおけるそれぞれのＵＥに対応するタイミング指定に関するデータを格納し、
前記プロセッサは更に、前記タイミング指定に基づいて決定されたような所与の時間間隔においてスケジュール不可能である、前記関連するＵＥのセットにおける少なくとも１つのＵＥに関連付けられた制御復号候補のセットを前記制御復号候補の縮減されたサブセットから除外することによって、前記制御復号候補の縮減されたサブセットを少なくとも部分的に生成するように構成される、Ｃ１７に記載の無線通信装置。
[Ｃ１９］
前記タイミング指定は、前記関連するＵＥのセットにおけるそれぞれのＵＥのために指定されたサブフレームに対応する、Ｃ１８に記載の無線通信装置。
[Ｃ２０］
前記タイミング指定は、前記関連するＵＥのセットにおけるそれぞれのＵＥのために指定されたハイブリッド自動反復要求（ＨＡＲＱ）処理識別子（ＩＤ）に対応する、Ｃ１８に記載の無線通信装置。
[Ｃ２１］
前記プロセッサは更に、前記関連するＵＥのセットにおけるそれぞれのＵＥに対応するＨＡＲＱ処理ＩＤと、所与の時間間隔に対応するＨＡＲＱ処理ＩＤとを比較することによって、前記所与の時間間隔においてスケジュール不可能である、前記関連するＵＥのセットにおける少なくとも１つのＵＥを少なくとも部分的に識別するように構成される、Ｃ２０に記載の無線通信装置。
[Ｃ２２］
前記メモリは更に、前記関連するＵＥのセットにおけるそれぞれのＵＥに関連付けられたそれぞれのＵＥ専用探索空間と、共有探索空間とに関するデータを格納し、
前記プロセッサは更に、前記関連するＵＥのセットにおける少なくとも１つのＵＥのための制御復号候補のそれぞれのセットを、前記関連するＵＥのセットにおける少なくとも１つのＵＥのためのそれぞれのＵＥ専用探索空間に関連付けられた制御復号候補又は前記共有探索空間に関連付けられた制御復号候補に制限することによって、前記制御復号候補の縮減されたサブセットを少なくとも部分的に生成するように構成される、Ｃ１７に記載の無線通信装置。
[Ｃ２３］
前記メモリは更に、前記関連するＵＥのセットに関連付けられたシステム・ローディングのレベルに関するデータを格納し、
前記プロセッサは更に、前記関連するＵＥのセットに関連付けられたシステム・ローディングの識別されたレベルに応答して、前記共有探索空間に関連付けられた制御復号候補を前記制御復号候補の縮減されたサブセットから選択的に除外する又は含めるように構成される、Ｃ２２に記載の無線通信装置。
[Ｃ２４］
前記メモリは更に、前記制御復号候補のそれぞれのセットに関連付けられた１つ又は複数の集約レベルに関するデータを格納し、
前記プロセッサは更に、前記関連するＵＥのセットにおける少なくとも１つのＵＥのための制御復号候補のそれぞれのセットを、１つ又は複数の選択された集約レベルに関連付けられた制御復号候補に制限することによって、前記制御復号候補の縮減されたサブセットを少なくとも部分的に生成するように構成される、Ｃ１７に記載の無線通信装置。
[Ｃ２５］
前記メモリは更に、前記制御復号候補のそれぞれのセットに関連付けられた１つ又は複数の制御チャネル・サイズに関するデータを格納し、
前記プロセッサは更に、前記関連するＵＥのセットにおける少なくとも１つのＵＥのための制御復号候補のそれぞれのセットを、１つ又は複数の選択された制御チャネル・サイズに関連付けられた制御復号候補に制限することによって、前記制御復号候補の縮減されたサブセットを少なくとも部分的に生成するように構成される、Ｃ１７に記載の無線通信装置。
[Ｃ２６］
前記メモリは更に、前記関連するＵＥのセットに関連付けられたシステム・ローディングのレベルに関するデータを格納し、
前記プロセッサは更に、前記関連するＵＥのセットに関連付けられたシステム・ローディングの識別されたレベルに応答して、前記制御復号候補の縮減されたサブセットから制御復号候補を除外する範囲を決定するように構成される、Ｃ１７に記載の無線通信装置。
[Ｃ２７］
前記制御復号候補は、１６ビットよりも大きい巡回冗長検査（ＣＲＣ）フィールドに関連付けられたそれぞれの物理ダウンリンク制御チャネル（ＰＤＣＣＨ）ブラインド復号に対応する、Ｃ１７に記載の無線通信装置。
[Ｃ２８］
前記プロセッサは更に、物理ダウンリンク制御チャネル（ＰＤＣＣＨ）許可のための候補リソースに対応するそれぞれの制御復号候補を識別するように構成され、前記ＰＤＣＣＨ許可のための候補リソースに対応するそれぞれの制御復号候補は、ダウンリンクＰＤＣＣＨ許可及びアップリンクＰＤＣＣＨ許可を含むＰＤＣＣＨ許可が時分割多重化を介して異なるサブフレームにおいて提供されるように構成される、Ｃ１７に記載の無線通信装置。
[Ｃ２９］
下記を備える装置：
支援される可能性のあるそれぞれのユーザ機器ユニット（ＵＥ）に関連付けられた制御復号候補のセットを識別するための手段；および、
少なくとも部分的に、によって、制御復号候補の縮減されたサブセットを生成するための手段：
制御復号候補の少なくとも１つのセットから１つ又は複数の制御復号候補を排除すること、又は、
前記支援される可能性のあるグループにおける少なくとも１つのＵＥに対応する制御復号候補のセットを排除すること。
[Ｃ３０］
前記生成するための手段は、下記を備える、Ｃ２９に記載の装置：
前記支援される可能性のあるグループにおけるそれぞれのＵＥに対応するタイミング指定に関する情報を取得するための手段；および、
下記を実行することによって、前記制御復号候補の縮減されたサブセットを少なくとも部分的に、生成するための手段：
前記タイミング指定に基づいて決定されたような所与の時間間隔においてスケジュール不可能である、前記支援される可能性のあるグループにおける少なくとも１つのＵＥに関連付けられた制御復号候補のセットを前記制御復号候補の縮減されたサブセットから除外すること。
[Ｃ３１］
前記タイミング指定は、前記支援される可能性のあるそれぞれのＵＥのために指定されたサブフレームに対応する、Ｃ３０に記載の装置。
[Ｃ３２］
前記タイミング指定は、前記支援される可能性のあるグループにおけるそれぞれのＵＥのために指定されたハイブリッド自動反復要求（ＨＡＲＱ）処理識別子（ＩＤ）に対応する、Ｃ３０に記載の装置。
[Ｃ３３］
前記生成するための手段は更に、少なくとも部分的に、前記支援される可能性のあるグループにおけるそれぞれのＵＥに対応するＨＡＲＱ処理ＩＤと、所与の時間間隔に対応するＨＡＲＱ処理ＩＤとを比較することによって、前記所与の時間間隔においてスケジュール不可能である、前記支援される可能性のあるグループにおける少なくとも１つのＵＥを識別するための手段を備える、Ｃ３２に記載の装置。
[Ｃ３４］
前記生成するための手段は、下記を備える、Ｃ２９に記載の装置：
前記支援される可能性のあるグループにおけるそれぞれのＵＥに関連付けられたそれぞれのＵＥ専用探索空間と、共有探索空間とを識別するための手段；および、
前記支援される可能性のあるグループにおける少なくとも１つのＵＥのための制御復号候補のそれぞれのセットを、前記支援される可能性のあるグループにおける少なくとも１つのＵＥのためのそれぞれのＵＥ専用探索空間に関連付けられた制御復号候補又は共有探索空間に関連付けられた制御復号候補に制限することによって、前記制御復号候補の縮減されたサブセットを少なくとも部分的に生成するための手段。
[Ｃ３５］
前記生成するための手段は、下記を更に備える、Ｃ３４に記載の装置：
前記支援される可能性のあるグループに関連付けられたシステム・ローディングのレベルを識別するための手段；および、
前記支援される可能性のあるグループに関連付けられたシステム・ローディングの識別されたレベルに応答して、前記共有探索空間に関連付けられた制御復号候補を前記制御復号候補の縮減されたサブセットから選択的に除外する又は含めるための手段。
[Ｃ３６］
前記生成するための手段は、下記を備える、Ｃ２９に記載の装置：
前記制御復号候補のそれぞれのセットに関連付けられた１つ又は複数の集約レベルを識別するための手段；および、
前記支援される可能性のあるグループにおける少なくとも１つのＵＥのための制御復号候補のそれぞれのセットを、１つ又は複数の選択された集約レベルに関連付けられた制御復号候補に制限することによって、前記制御復号候補の縮減されたサブセットを少なくとも部分的に生成するための手段。
[Ｃ３７］
前記生成するための手段は、下記を備える、Ｃ２９に記載の装置：
前記制御復号候補のそれぞれのセットに関連付けられた１つ又は複数の制御チャネル・サイズを識別するための手段と、
前記支援される可能性のあるグループにおける少なくとも１つのＵＥのための制御復号候補のそれぞれのセットを、１つ又は複数の選択された制御チャネル・サイズに関連付けられた制御復号候補に制限することによって、前記制御復号候補の縮減されたサブセットを少なくとも部分的に生成するための手段。
[Ｃ３８］
前記生成するための手段は、下記を備える、Ｃ２９に記載の装置：
前記支援される可能性のあるグループに関連付けられたシステム・ローディングのレベルを識別するための手段；および、
前記支援される可能性のあるグループに関連付けられたシステム・ローディングの識別されたレベルに応答して、前記制御復号候補の縮減されたサブセットから制御復号候補を除外する範囲を決定するための手段。
[Ｃ３９］
前記制御復号候補は、１６ビットよりも大きい巡回冗長検査（ＣＲＣ）フィールドに関連付けられたそれぞれの物理ダウンリンク制御チャネル（ＰＤＣＣＨ）に対応する、Ｃ２９に記載の装置。
[Ｃ４０］
下記のコードを備えるコンピュータ読取可能媒体を備えるコンピュータ・プログラム製品：
支援される可能性のあるグループにおけるそれぞれのユーザ機器ユニット（ＵＥ）に関連付けられた制御復号候補のセットをコンピュータに識別させるためのコード；および、
制御復号候補の少なくとも１つのセットから１つ又は複数の制御復号候補を排除すること、又は、前記支援される可能性のあるグループにおける少なくとも１つのＵＥに対応する制御復号候補のセットを排除することによって、制御復号候補の縮減されたサブセットを少なくとも部分的にコンピュータに生成させるためのコード。
[Ｃ４１］
前記コンピュータに生成させるためのコードは、下記を備える、Ｃ４０に記載のコンピュータ・プログラム製品：
前記支援される可能性のあるグループにおけるそれぞれのＵＥに対応するタイミング指定に関する情報をコンピュータに取得させるためのコード；および、
前記タイミング指定に基づいて決定されたような所与の時間間隔においてスケジュール不可能である、前記支援される可能性のあるグループにおける少なくとも１つのＵＥに関連付けられた制御復号候補のセットを前記制御復号候補の縮減されたサブセットから除外することによって、前記制御復号候補の縮減されたサブセットを少なくとも部分的にコンピュータに生成させるためのコード。
[Ｃ４２］
前記タイミング指定は、前記支援される可能性のあるグループにおけるそれぞれのＵＥのために指定されたサブフレームに対応する、Ｃ４１に記載のコンピュータ・プログラム製品。
[Ｃ４３］
前記タイミング指定は、前記支援される可能性のあるグループにおけるそれぞれのＵＥのために指定されたハイブリッド自動反復要求（ＨＡＲＱ）処理識別子（ＩＤ）に対応する、Ｃ４１に記載のコンピュータ・プログラム製品。
[Ｃ４４］
前記コンピュータに生成させるためのコードは更に、前記支援される可能性のあるグループにおけるそれぞれのＵＥに対応するＨＡＲＱ処理ＩＤと、所与の時間間隔に対応するＨＡＲＱ処理ＩＤとを比較することによって、前記所与の時間間隔においてスケジュール不可能である、前記支援される可能性のあるグループにおける少なくとも１つのＵＥを少なくとも部分的にコンピュータに識別させるためのコードを備える、Ｃ４３に記載のコンピュータ・プログラム製品。
[Ｃ４５］
前記コンピュータに生成させるためのコードは、下記を備える、Ｃ４０に記載のコンピュータ・プログラム製品：
前記支援される可能性のあるグループにおけるそれぞれのＵＥに関連付けられたそれぞれのＵＥ専用探索空間と、共有探索空間とをコンピュータに識別させるためのコード；および、
前記支援される可能性のあるグループにおける少なくとも１つのＵＥのための制御復号候補のそれぞれのセットを、前記支援される可能性のあるグループにおける少なくとも１つのＵＥのためのＵＥ専用探索空間に関連付けられた制御復号候補又は前記共有探索空間に関連付けられた制御復号候補に制限することによって、前記制御復号候補の縮減されたサブセットを少なくとも部分的にコンピュータに生成させるためのコード。
[Ｃ４６］
前記コンピュータに生成させるためのコードは更に、下記を備える、Ｃ４５に記載のコンピュータ・プログラム製品：
前記支援される可能性のあるグループに関連付けられたシステム・ローディングのレベルをコンピュータに識別させるためのコード；および、
前記支援される可能性のあるグループに関連付けられたシステム・ローディングの識別されたレベルに応答して、前記共有探索空間に関連付けられた制御復号候補を前記制御復号候補の縮減されたサブセットからコンピュータに選択的に除外させる又は含めさせるためのコード。
[Ｃ４７］
前記コンピュータに生成させるためのコードは、下記を備える、Ｃ４０に記載のコンピュータ・プログラム製品：
コンピュータに、前記制御復号候補のそれぞれのセットに関連付けられた１つ又は複数の集約レベルを識別させるためのコード；および、
前記支援される可能性のあるグループにおける少なくとも１つのＵＥのための制御復号候補のそれぞれのセットを、１つ又は複数の選択された集約レベルに関連付けられた制御復号候補に制限することによって、前記制御復号候補の縮減されたサブセットを少なくとも部分的にコンピュータに生成させるためのコード。
[Ｃ４８］
前記コンピュータに生成させるためのコードは、下記を備える、Ｃ４０に記載のコンピュータ・プログラム製品：
前記制御復号候補のそれぞれのセットに関連付けられた１つ又は複数の制御チャネル・サイズをコンピュータに識別させるためのコード；および、
前記支援される可能性のあるグループにおける少なくとも１つのＵＥのための制御復号候補のそれぞれのセットを、１つ又は複数の選択された制御チャネル・サイズに関連付けられた制御復号候補に制限することによって、前記制御復号候補の縮減されたサブセットを少なくとも部分的にコンピュータに生成させるためのコード。
[Ｃ４９］
前記コンピュータに生成させるためのコードは、下記を備える、Ｃ４０に記載のコンピュータ・プログラム製品：
前記支援される可能性のあるグループに関連付けられたシステム・ローディングのレベルをコンピュータに識別させるためのコード；および、
前記支援される可能性のあるグループに関連付けられたシステム・ローディングの識別されたレベルに応答して、前記制御復号候補の縮減されたサブセットから制御復号候補を除外する範囲をコンピュータに決定させるためのコード。
[Ｃ５０］
前記制御復号候補は、１６ビットよりも大きい巡回冗長検査（ＣＲＣ）フィールドに関連付けられたそれぞれの物理ダウンリンク制御チャネル（ＰＤＣＣＨ）ブラインド復号に対応する、Ｃ４０に記載のコンピュータ・プログラム製品。
【図１】
0005543579.tif 000002
【図２】
0005543579.tif 000003
【図３】
0005543579.tif 000004
【図４】
0005543579.tif 000005
【図５】
0005543579.tif 000006
【図６】
0005543579.tif 000007
【図７】
0005543579.tif 000008
【図８】
0005543579.tif 000009
【図９】
0005543579.tif 000010
【図１０】
0005543579.tif 000011
【図１１】
0005543579.tif 000012
【図１２】
0005543579.tif 000013
【図１３】
0005543579.tif 000014
【図１４】
0005543579.tif 000015